(57)【要約】  移動通信システムは、下りリンクの送信指向性を定めるプリコーダ行列と下りリンクの信号系列数を定めるランクとを適用して下りリンク・マルチアンテナ伝送を行う。移動通信システムは、対象周波数帯についてのフィードバック情報を基地局にフィードバックするユーザ端末を有する。前記フィードバック情報は、前記プリコーダ行列を示すプリコーダ行列情報と前記ランクを示すランク情報との組み合わせを複数含む。
2014061534.tif 000002
【特許請求の範囲】
【請求項１】
下りリンクの送信指向性を定めるプリコーダ行列と下りリンクの信号系列数を定めるランクとを適用して下りリンク・マルチアンテナ伝送を行う移動通信システムであって、
対象周波数帯についてのフィードバック情報を基地局にフィードバックするユーザ端末を有し、
前記フィードバック情報は、前記プリコーダ行列を示すプリコーダ行列情報と前記ランクを示すランク情報との組み合わせを複数含むことを特徴とする移動通信システム。
【請求項２】
前記プリコーダ行列情報は、前記ユーザ端末にとって好ましいプリコーダ行列を示し、
前記基地局は、前記フィードバック情報に含まれる前記複数の組み合わせの何れかと一致するフィードバック情報をフィードバックする他のユーザ端末に対して、前記ユーザ端末と同一の無線リソースを割り当てて、前記一致するフィードバック情報に従って前記他のユーザ端末への送信を行うことを特徴とする請求項１に記載の移動通信システム。
【請求項３】
前記プリコーダ行列情報は、前記ユーザ端末にとって好ましくないプリコーダ行列を示し、
前記基地局は、前記フィードバック情報に含まれる前記複数の組み合わせの何れとも一致しないフィードバック情報をフィードバックする他のユーザ端末に対して、前記ユーザ端末と同一の無線リソースを割り当てて、前記一致しないフィードバック情報に従って前記他のユーザ端末への送信を行うことを特徴とする請求項１に記載の移動通信システム。
【請求項４】
前記基地局は、前記ユーザ端末のサービングセルに隣接するセルを構成していることを特徴とする請求項１に記載の移動通信システム。
【請求項５】
前記基地局は、前記ユーザ端末のサービングセルを構成していることを特徴とする請求項１に記載の移動通信システム。
【請求項６】
前記ユーザ端末は、予め規定された複数のランク情報のそれぞれについて、予め規定された複数のプリコーダ行列情報のそれぞれの評価値を計算し、
前記ユーザ端末は、前記評価値に基づいて前記複数の組み合わせを前記フィードバック情報に含めることを特徴とする請求項１に記載の移動通信システム。
【請求項７】
前記ユーザ端末は、前記複数のランク情報のそれぞれについて、前記評価値に応じて所定数のプリコーダ行列情報を選択し、
前記ユーザ端末は、前記複数のランク情報のそれぞれと前記選択した所定数のプリコーダ行列情報との組み合わせを前記フィードバック情報に含めることを特徴とする請求項６に記載の移動通信システム。
【請求項８】
前記ユーザ端末は、前記複数のランク情報のそれぞれについて、前記評価値と閾値との比較結果に応じてプリコーダ行列情報を選択し、
前記ユーザ端末は、前記複数のランク情報のそれぞれと前記選択したプリコーダ行列情報との組み合わせを前記フィードバック情報に含めることを特徴とする請求項６に記載の移動通信システム。
【請求項９】
前記ユーザ端末は、前記複数のランク情報のそれぞれについて、前記評価値の最高値又は最低値との差分が閾値よりも小さいプリコーダ行列情報を選択し、
前記ユーザ端末は、前記ランク情報のそれぞれと前記選択したプリコーダ行列情報との組み合わせを前記フィードバック情報に含めることを特徴とする請求項６に記載の移動通信システム。
【請求項１０】
前記ユーザ端末は、前記評価値と閾値との比較結果に応じてプリコーダ行列情報と、該プリコーダ行列情報に対応するランク情報と、の組み合わせを選択し、
前記ユーザ端末は、前記選択した組み合わせを前記フィードバック情報に含めることを特徴とする請求項６に記載の移動通信システム。
【請求項１１】
前記ユーザ端末は、前記複数の組み合わせのそれぞれに、前記評価値に応じて定められる優先順位を示す優先順位情報を付加し、
前記ユーザ端末は、前記優先順位情報が付加された前記複数の組み合わせを前記フィードバック情報に含めることを特徴とする請求項６に記載の移動通信システム。
【請求項１２】
前記プリコーダ行列情報の評価値は、該プリコーダ行列情報に対応するプリコーダ行列が適用された場合に推奨される変調・符号化方式を示すチャネル品質情報であり、
前記ユーザ端末は、前記評価値と、フィードバックするチャネル品質情報との比較結果に応じたプリコーダ行列情報と、該プリコーダ行列情報に対応するランク情報と、の組み合わせを選択し、
前記ユーザ端末は、前記選択した組み合わせを前記フィードバック情報に含めることを特徴とする請求項６に記載の移動通信システム。
【請求項１３】
前記ユーザ端末は、さらに、非選択のプリコーダ行列情報をヌル値に設定して前記フィードバック情報に含めることを特徴とする請求項８に記載の移動通信システム。
【請求項１４】
前記ユーザ端末は、前記評価値に応じて所定数の前記組み合わせを選択し、
前記ユーザ端末は、前記選択した組み合わせを前記フィードバック情報に含めることを特徴とする請求項６に記載の移動通信システム。
【請求項１５】
前記ユーザ端末は、前記選択した組み合わせのうち、前記評価値と閾値との比較結果に応じてプリコーダ行列情報をヌル値に設定して前記フィードバック情報に含めることを特徴とする請求項１４に記載の移動通信システム。
【請求項１６】
前記ユーザ端末は、１つのランク情報について全てのプリコーダ行列情報を選択した場合に、前記全てのプリコーダ行列情報を前記フィードバック情報に含めることに代えて、前記全てのプリコーダ行列情報を示すインデックスを前記フィードバック情報に含めることを特徴とする請求項１に記載の移動通信システム。
【請求項１７】
前記ユーザ端末は、前記基地局に接続するユーザ端末の数が所定数以上である場合に、前記プリコーダ行列情報と前記ランク情報との組み合わせを前記フィードバック情報に複数含めることに代えて、前記組み合わせを前記フィードバック情報に１つのみ含めることを特徴とする請求項１に記載の移動通信システム。
【請求項１８】
下りリンクの送信指向性を定めるプリコーダ行列を適用して下りリンク・マルチアンテナ伝送を行う移動通信システムであって、
対象周波数帯についてのフィードバック情報として、複数のプリコーダ行列情報を基地局にフィードバックするユーザ端末を有し、
前記ユーザ端末は、前記フィードバック情報として全てのプリコーダ行列情報を選択した場合に、前記全てのプリコーダ行列情報を前記基地局にフィードバックすることに代えて、前記全てのプリコーダ行列情報を示すインデックスを前記基地局にフィードバックすることを特徴とする移動通信システム。
【請求項１９】
下りリンクの送信指向性を定めるプリコーダ行列を適用して下りリンク・マルチアンテナ伝送を行う移動通信システムであって、
対象周波数帯についてのフィードバック情報として、１又は複数のプリコーダ行列情報を基地局にフィードバックするユーザ端末を有し、
前記基地局にフィードバックするプリコーダ行列情報の数は、前記基地局に接続するユーザ端末の数に応じて設定されることを特徴とする移動通信システム。
【請求項２０】
前記基地局に接続するユーザ端末の数が閾値以上である場合には、前記基地局に接続するユーザ端末の数が前記閾値未満である場合に比べて、前記基地局にフィードバックするプリコーダ行列情報の数を減らすことを特徴とする請求項１９に記載の移動通信システム。
【請求項２１】
下りリンクの送信指向性を定めるプリコーダ行列を適用して下りリンク・マルチアンテナ伝送を行う移動通信システムであって、
対象周波数帯についてのフィードバック情報としてプリコーダ行列情報をサービングセルにフィードバックするユーザ端末を有し、
前記ユーザ端末は、周期的に第１のプリコーダ行列情報のフィードバックを行いながら、非周期的に第２のプリコーダ行列情報のフィードバックも行うことを特徴とする移動通信システム。
【請求項２２】
前記第１のプリコーダ行列情報は、前記サービングセルとの通信において前記ユーザ端末にとって好ましいプリコーダ行列を示し、
前記第２のプリコーダ行列情報は、前記ユーザ端末に対して他セルが与える干渉の観点から前記ユーザ端末にとって好ましいプリコーダ行列、又は前記干渉の観点から前記ユーザ端末にとって好ましくないプリコーダ行列を示し、
前記ユーザ端末は、非周期的に前記第２のプリコーダ行列情報を複数フィードバックすることを特徴とする請求項２１に記載の移動通信システム。
【請求項２３】
前記第１のプリコーダ行列情報は、前記サービングセルとの通信において前記ユーザ端末にとって好ましいプリコーダ行列を示すプリコーダ行列情報を含み、
前記第１のプリコーダ行列情報は、前記ユーザ端末に対して他セルが与える干渉の観点から前記ユーザ端末にとって最も好ましいプリコーダ行列、又は前記干渉の観点から前記ユーザ端末にとって最も好ましくないプリコーダ行列を示すプリコーダ行列情報をさらに含み、
前記第２のプリコーダ行列情報は、前記干渉の観点から前記ユーザ端末にとって２番目以降に好ましいプリコーダ行列、又は前記干渉の観点から前記ユーザ端末にとって２番目以降に好ましくないプリコーダ行列を示すプリコーダ行列情報を含み、
前記ユーザ端末は、非周期的に前記第２のプリコーダ行列情報を複数フィードバックすることを特徴とする請求項２１に記載の移動通信システム。
【請求項２４】
下りリンクの送信指向性を定めるプリコーダ行列と下りリンクの信号系列数を定めるランクとを使用して下りリンク・マルチアンテナ伝送を行う基地局と、
対象周波数帯についてのフィードバック情報を前記基地局にフィードバックするユーザ端末と、を有する移動通信システムであって、
前記基地局は、該基地局における前記ランク及び／又は前記プリコーダ行列の使用状態を示す使用状態情報を、前記ユーザ端末に通知することを特徴とする移動通信システム。
【請求項２５】
前記フィードバック情報は、前記プリコーダ行列を示すプリコーダ行列情報と前記ランクを示すランク情報との組み合わせを含み、
前記ユーザ端末は、前記使用状態情報に基づいて、前記基地局が使用中の前記ランク及び／又は前記プリコーダ行列に対応する前記組み合わせのみを、前記基地局へのフィードバックの対象とすることを特徴とする請求項２４に記載の移動通信システム。
【請求項２６】
前記プリコーダ行列情報は、前記ユーザ端末にとって好ましいプリコーダ行列を示し、
前記基地局は、前記フィードバック情報に含まれる前記組み合わせと一致するフィードバック情報を通知する他のユーザ端末に対して、前記ユーザ端末と同一の無線リソースを割り当てて、前記一致するフィードバック情報に従って前記他のユーザ端末への送信を行うことを特徴とする請求項２５に記載の移動通信システム。
【請求項２７】
前記プリコーダ行列情報は、前記ユーザ端末にとって好ましくないプリコーダ行列を示し、
前記基地局は、前記フィードバック情報に含まれる前記組み合わせと一致しないフィードバック情報を通知する他のユーザ端末に対して、前記ユーザ端末と同一の無線リソースを割り当てて、前記一致しないフィードバック情報に従って前記他のユーザ端末への送信を行うことを特徴とする請求項２５に記載の移動通信システム。
【請求項２８】
前記基地局は、前記ユーザ端末のサービングセルに隣接するセルを構成していることを特徴とする請求項２４に記載の移動通信システム。
【請求項２９】
前記基地局は、前記ユーザ端末のサービングセルを構成していることを特徴とする請求項２４に記載の移動通信システム。
【請求項３０】
前記基地局は、予め規定された全てのランク及び／又は全てのプリコーダ行列を使用中である場合に、前記使用状態情報の通知を停止することを特徴とする請求項２４に記載の移動通信システム。
【請求項３１】
前記使用状態情報は、前記ユーザ端末の割当無線リソースに対応する無線リソースにおける前記ランク及び／又は前記プリコーダ行列の使用状態を示すことを特徴とする請求項２４に記載の移動通信システム。
【請求項３２】
前記基地局は、ＣｏＭＰ通信を開始する際、前記ユーザ端末から前記フィードバック情報がフィードバックされた際、又は前記ユーザ端末の割当無線リソースを他の基地局から通知された際、の何れかのタイミングで、前記使用状態情報の通知を開始することを特徴とする請求項２４に記載の移動通信システム。
【請求項３３】
前記基地局は、ＣｏＭＰ通信を終了する際、又は前記ユーザ端末から前記フィードバック情報がフィードバックされなくなってから所定時間が経過した際、の何れかのタイミングで、前記使用状態情報の通知を終了することを特徴とする請求項２４に記載の移動通信システム。
【請求項３４】
第１の基地局と、前記第１の基地局との接続を確立するユーザ端末と、前記第１の基地局と協調する第２の基地局と、を有し、下りリンク・マルチアンテナ伝送をサポートする移動通信システムにおける通信制御方法であって、
前記ユーザ端末が、前記下りリンク・マルチアンテナ伝送のためのプリコーダ行列及び／又はランクを示す伝送制御情報と、該伝送制御情報が適用された場合に推奨される変調・符号化方式を示すチャネル品質情報と、の組み合わせを複数決定した後、該決定した複数の組み合わせに含まれる複数の伝送制御情報を前記第２の基地局に通知するステップＡと、
前記第２の基地局が、前記複数の伝送制御情報の中から何れかの伝送制御情報を選択した後、該選択した伝送制御情報に関連する所定情報を前記第１の基地局に通知するステップＢと、
前記第１の基地局が、前記所定情報に基づいて、前記第２の基地局が選択した伝送制御情報に対応するチャネル品質情報を特定した後、該特定したチャネル品質情報を前記ユーザ端末のスケジューリングに使用するステップＣと、
を含むことを特徴とする通信制御方法。
【請求項３５】
前記ステップＣは、前記特定したチャネル品質情報に加えて、又は前記特定したチャネル品質情報に代えて、前記第２の基地局が選択した前記伝送制御情報を前記ユーザ端末のスケジューリングに使用するステップを含むことを特徴とする請求項３４に記載の通信制御方法。
【請求項３６】
前記ステップＡは、前記ユーザ端末が、前記複数の組み合わせを前記第１の基地局に送信するステップを含み、
前記ステップＢは、前記第２の基地局が、前記選択した伝送制御情報を前記所定情報として前記第１の基地局に通知するステップを含み、
前記ステップＣは、前記第１の基地局が、前記複数の組み合わせの中から、前記所定情報としての前記伝送制御情報に対応する前記チャネル品質情報を、前記ユーザ端末のスケジューリングに使用するステップを含むことを特徴とする請求項３４に記載の通信制御方法。
【請求項３７】
前記ステップＡは、前記ユーザ端末が、前記複数の組み合わせを前記第２の基地局に通知するステップを含み、
前記ステップＢは、前記第２の基地局が、前記複数の組み合わせの中から、前記選択した伝送制御情報に対応する前記チャネル品質情報を前記所定情報として前記第１の基地局に通知するステップを含み、
前記ステップＣは、前記第１の基地局が、前記所定情報としての前記チャネル品質情報を前記ユーザ端末のスケジューリングに使用するステップを含むことを特徴とする請求項３４に記載の通信制御方法。
【請求項３８】
前記ステップＡは、前記ユーザ端末が、受信信号の状態に基づき推奨される変調・符号化方式を示す通常のチャネル品質情報を前記第１の基地局に送信するステップをさらに含み、
前記ステップＣは、前記第２の基地局からの前記所定情報の通知が無い場合に、前記第１の基地局が、前記通常のチャネル品質情報を前記ユーザ端末のスケジューリングに使用するステップをさらに含むことを特徴とする請求項３６に記載の通信制御方法。
【請求項３９】
前記ステップＡは、
前記ユーザ端末が、受信信号の状態に基づき推奨される変調・符号化方式を示す通常のチャネル品質情報を前記第１の基地局に送信するステップと、
前記ユーザ端末が、前記複数の組み合わせに含まれる複数のチャネル品質情報毎に前記通常のチャネル品質情報との差分を示す差分情報を前記第２の基地局に通知するステップと、を含み、
前記ステップＢは、前記第２の基地局が、前記複数の組み合わせの中から、前記選択した伝送制御情報に対応する前記差分情報を前記所定情報として前記第１の基地局に通知するステップを含み、
前記ステップＣは、前記第１の基地局が、前記通常のチャネル品質情報と、前記所定情報としての前記差分情報と、から求められるチャネル品質情報を、前記ユーザ端末のスケジューリングに使用するステップを含むことを特徴とする請求項３４に記載の通信制御方法。
【請求項４０】
前記ステップＡは、
前記ユーザ端末が、前記複数の組み合わせのそれぞれに優先順位を設定した後、特定の優先順位に対応する特定のチャネル品質情報と、該特定のチャネル品質情報に対してチャネル品質情報が変化する前記組み合わせに設定された第１の優先順位と、を前記第１の基地局に送信するステップと、
前記ユーザ端末が、前記複数の伝送制御情報のそれぞれを前記優先順位と対応付けて前記第２の基地局に通知するステップと、を含み、
前記ステップＢは、前記第２の基地局が、前記選択した伝送制御情報に対応する第２の優先順位を前記所定情報として前記第１の基地局に通知するステップを含み、
前記ステップＣは、前記第１の基地局が、前記特定のチャネル品質情報と、前記第１の優先順位と前記第２の優先順位との相対関係と、から求められるチャネル品質情報を、前記ユーザ端末のスケジューリングに使用するステップを含むことを特徴とする請求項３４に記載の通信制御方法。
【発明の詳細な説明】
【技術分野】
【０００１】
本発明は、下りリンク・マルチアンテナ伝送をサポートする移動通信システム及び通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥシステムは、下りリンク・マルチアンテナ伝送をサポートする（例えば、非特許文献１参照）。【０００３】
下りリンク・マルチアンテナ伝送をＦＤＤ方式で実現するために、ユーザ端末は、プリコーダ行列を示すプリコーダ行列情報とランクを示すランク情報との組み合わせを基地局にフィードバックする。ここで、プリコーダ行列は、送信指向性を定めるものであり、ランクは、信号系列数（レイヤ数）を定めるものである。【０００４】
基地局は、ユーザ端末毎にフィードバックされるフィードバック情報（プリコーダ行列情報及びランク情報の組み合わせ）に基づくプリコーダ行列及びランクを適用して、下りリンク・マルチアンテナ伝送を行う。
【先行技術文献】
【非特許文献】
【０００５】
【非特許文献１】３ＧＰＰ技術仕様  「ＴＳ  ３６．３００  Ｖ１１．３．０」  （２０１２-９）
【発明の概要】
【０００６】
現行の仕様では、対象周波数帯（下りリンク全帯域又はサブバンド）についてのフィードバック情報として、１つのプリコーダ行列を表す情報をフィードバックする旨が規定されている。しかしながら、このようなフィードバック方法では、下りリンク・マルチアンテナ伝送を適切に実施することが困難である。
【０００７】
そこで、本発明は、下りリンク・マルチアンテナ伝送を適切に実施可能とする移動通信システム及び通信制御方法を提供する。
【０００８】
一実施形態によれば、下りリンクの送信指向性を定めるプリコーダ行列と下りリンクの信号系列数（信号レイヤ数）を定めるランクとを適用して下りリンク・マルチアンテナ伝送を行う移動通信システムは、対象周波数帯についてのフィードバック情報を基地局にフィードバックするユーザ端末を有する。前記フィードバック情報は、前記プリコーダ行列を示すプリコーダ行列情報と前記ランクを示すランク情報との組み合わせを複数含む。
【０００９】
一実施形態によれば、下りリンクの送信指向性を定めるプリコーダ行列を適用して下りリンク・マルチアンテナ伝送を行う移動通信システムは、対象周波数帯についてのフィードバック情報として、複数のプリコーダ行列情報を基地局にフィードバックするユーザ端末を有する。前記ユーザ端末は、前記フィードバック情報として全てのプリコーダ行列情報を選択した場合に、前記全てのプリコーダ行列情報を前記基地局にフィードバックすることに代えて、前記全てのプリコーダ行列情報を示すインデックスを前記基地局にフィードバックする。
【００１０】
一実施形態によれば、下りリンクの送信指向性を定めるプリコーダ行列を適用して下りリンク・マルチアンテナ伝送を行う移動通信システムは、対象周波数帯についてのフィードバック情報として、１又は複数のプリコーダ行列情報を基地局にフィードバックするユーザ端末を有する。前記基地局にフィードバックするプリコーダ行列情報の数は、前記基地局に接続するユーザ端末の数に応じて設定される。
【００１１】
一実施形態によれば、下りリンクの送信指向性を定めるプリコーダ行列を適用して下りリンク・マルチアンテナ伝送を行う移動通信システムは、対象周波数帯についてのフィードバック情報としてプリコーダ行列情報を基地局にフィードバックするユーザ端末を有する。前記ユーザ端末は、周期的に第１のプリコーダ行列情報のフィードバックを行いながら、非周期的に第２のプリコーダ行列情報のフィードバックも行う。
【００１２】
一実施形態によれば、移動通信システムは、下りリンクの送信指向性を定めるプリコーダ行列と下りリンクの信号系列数（信号レイヤ数）を定めるランクとを使用して下りリンク・マルチアンテナ伝送を行う基地局と、対象周波数帯についてのフィードバック情報を前記基地局にフィードバックするユーザ端末と、を有する。前記基地局は、該基地局における前記ランク及び／又は前記プリコーダ行列の使用状態を示す使用状態情報を、前記ユーザ端末に通知する。前記フィードバック情報は、前記プリコーダ行列を示すプリコーダ行列情報と前記ランクを示すランク情報との組み合わせを含む。前記ユーザ端末は、前記使用状態情報に基づいて、前記基地局が使用中の前記ランク及び／又は前記プリコーダ行列に対応する前記組み合わせのみを、前記基地局へのフィードバックの対象とする。
【００１３】
一実施形態によれば、通信制御方法は、第１の基地局と、前記第１の基地局との接続を確立するユーザ端末と、前記第１の基地局と協調する第２の基地局と、を有し、下りリンク・マルチアンテナ伝送をサポートする移動通信システムにおいて用いられる。通信制御方法は、前記ユーザ端末が、前記下りリンク・マルチアンテナ伝送のためのプリコーダ行列及び／又はランクを示す伝送制御情報と、該伝送制御情報が適用された場合に推奨される変調・符号化方式を示すチャネル品質情報と、の組み合わせを複数決定した後、該決定した複数の組み合わせに含まれる複数の伝送制御情報を前記第２の基地局に通知するステップＡと、前記第２の基地局が、前記複数の伝送制御情報の中から何れかの伝送制御情報を選択した後、該選択した伝送制御情報に関連する所定情報を前記第１の基地局に通知するステップＢと、前記第１の基地局が、前記所定情報に基づいて、前記第２の基地局が選択した伝送制御情報に対応するチャネル品質情報を特定した後、該特定したチャネル品質情報を前記ユーザ端末のスケジューリングに使用するステップＣと、を含む。
【図面の簡単な説明】
【００１４】
【図１】第１実施形態乃至第８実施形態に係るＬＴＥシステムの構成図である。
【図２】第１実施形態乃至第８実施形態に係るＵＥのブロック図である。
【図３】第１実施形態乃至第８実施形態に係るｅＮＢのブロック図である。
【図４】第１実施形態乃至第８実施形態に係る下りリンク・マルチアンテナ伝送に関連するブロック図である。
【図５】第１実施形態乃至第８実施形態に係るＬＴＥシステムにおける無線インターフェイスのプロトコルスタック図である。
【図６】第１実施形態乃至第８実施形態に係るＬＴＥシステムで使用される無線フレームの構成図である。
【図７】第１実施形態乃至第４実施形態に係る動作環境を示す図である。
【図８】第１実施形態乃至第４実施形態に係る動作環境を示す図である。
【図９】第１実施形態に係る動作シーケンス図である。
【図１０】第１実施形態に係る動作パターン１で使用されるフィードバック情報の構成例を示す図である。
【図１１】第１実施形態に係る動作パターン１におけるＵＥの動作フロー図である。
【図１２】第１実施形態に係る動作パターン２で使用されるフィードバック情報の構成例を示す図である。
【図１３】第１実施形態に係る動作パターン２−１におけるＵＥの動作フロー図である。
【図１４】第１実施形態に係る動作パターン２−２におけるＵＥの動作フロー図である。
【図１５】第１実施形態に係る動作パターン３で使用されるフィードバック情報の構成例を示す図である。
【図１６】第１実施形態に係る動作パターン３におけるＵＥの動作フロー図である。
【図１７】第１実施形態に係る動作パターン４で使用されるフィードバック情報の構成例を示す図である。
【図１８】第１実施形態に係る動作パターン４におけるＵＥの動作フロー図である。
【図１９】第１実施形態に係る動作パターン５で使用されるフィードバック情報の構成例を示す図である。
【図２０】第１実施形態に係る動作パターン５におけるＵＥの動作フロー図である。
【図２１】第１実施形態に係る動作パターン５におけるＵＥの他の動作フロー図である。
【図２２】第１実施形態に係る動作パターン６で使用されるフィードバック情報の構成例を示す図である。
【図２３】第１実施形態に係る動作パターン６におけるＵＥの動作フロー図である。
【図２４】第１実施形態に係る動作パターン７で使用されるフィードバック情報の構成例を示す図である。
【図２５】第１実施形態に係る動作パターン７におけるＵＥの動作フロー図である。
【図２６】第１実施形態に係る動作パターン８で使用されるフィードバック情報の構成例を示す図である。
【図２７】第１実施形態に係る動作パターン８におけるＵＥの動作フロー図である。
【図２８】第２実施形態に係る動作シーケンス１のシーケンス図である。
【図２９】第２実施形態に係る動作シーケンス２のシーケンス図である。
【図３０】第２実施形態に係る動作シーケンス３のシーケンス図である。
【図３１】第１実施形態及び第２実施形態に係るフィードバック情報のメッセージ構成例を示す図である。
【図３２】第３実施形態に係るフィードバック情報のメッセージ構成例１を示す図である。
【図３３】第３実施形態に係るフィードバック情報のメッセージ構成例２を示す図である。
【図３４】第３実施形態に係るＵＥの動作フロー図である。
【図３５】第１実施形態乃至第４実施形態の変更例に係る動作環境を示す図である。
【図３６】第１実施形態乃至第４実施形態の変更例に係る動作環境を示す図である。
【図３７】実施例に係るBCIを用いたCB-CoMPを説明するための図である。
【図３８】提案手法（第１実施形態乃至第４実施形態に係る発明）を説明するための図である。
【図３９】実施例に係る非CoMP UE数変化によるCoMP UEのBCI一致確率を示すグラフである。
【図４０】実施例に係る、BCI数、CoMP UE数の変動による、総割当リソースブロック数の期待値の推移を示すグラフである。
【図４１】実施例に係る、PMI数の変化による割当リソースブロック数の期待値を示すグラフである。
【図４２】第５実施形態乃至第８実施形態に係る動作環境を示す図である。
【図４３】第５実施形態乃至第８実施形態に係る動作環境を示す図である。
【図４４】第５実施形態に係る動作シーケンス図である。
【図４５】第６実施形態に係る動作シーケンスを説明するための図である。
【図４６】第７実施形態に係る動作シーケンスを説明するための図である。
【図４７】第８実施形態に係るＵＥの動作を説明するための図である。
【図４８】第８実施形態に係る動作シーケンスを説明するための図である。
【発明を実施するための形態】
【００１５】
[第１実施形態乃至第４実施形態]
（１）第１実施形態
（１．１）第１実施形態の概要
第１実施形態に係る移動通信システムは、下りリンクの送信指向性を定めるプリコーダ行列と下りリンクの信号系列数を定めるランクとを適用して下りリンク・マルチアンテナ伝送を行う。移動通信システムは、対象周波数帯についてのフィードバック情報を基地局にフィードバックするユーザ端末を有する。前記フィードバック情報は、前記プリコーダ行列を示すプリコーダ行列情報と前記ランクを示すランク情報との組み合わせを複数含む。これにより、基地局は、他のユーザ端末も考慮しつつ、複数の組み合わせに基づいて適切な組み合わせを選択できる。従って、下りリンク・マルチアンテナ伝送を適切に実施できる。
【００１６】
前記プリコーダ行列情報は、前記ユーザ端末にとって好ましいプリコーダ行列を示す。前記基地局は、前記フィードバック情報に含まれる前記複数の組み合わせの何れかと一致するフィードバック情報をフィードバックする他のユーザ端末に対して、前記ユーザ端末と同一の無線リソースを割り当てて、前記一致するフィードバック情報に従って前記他のユーザ端末への送信を行う。これにより、当該ユーザ端末に対する干渉を抑圧できる。
【００１７】
或いは、前記プリコーダ行列情報は、前記ユーザ端末にとって好ましくないプリコーダ行列を示す。前記基地局は、前記フィードバック情報に含まれる前記複数の組み合わせの何れとも一致しないフィードバック情報をフィードバックする他のユーザ端末に対して、前記ユーザ端末と同一の無線リソースを割り当てて、前記一致しないフィードバック情報に従って前記他のユーザ端末への送信を行う。これにより、当該ユーザ端末に対する干渉を抑圧できる。
【００１８】
前記ユーザ端末は、予め規定された複数のランク情報のそれぞれについて、予め規定された複数のプリコーダ行列情報のそれぞれの評価値を計算する。前記ユーザ端末は、前記評価値に基づいて前記複数の組み合わせを前記フィードバック情報に含める。これにより、評価値に基づいて適切な複数の組み合わせをフィードバック情報に含めることができる。
【００１９】
動作パターン１では、前記ユーザ端末は、前記複数のランク情報のそれぞれについて、前記評価値に応じて所定数のプリコーダ行列情報を選択する。前記ユーザ端末は、前記複数のランク情報のそれぞれと前記選択した所定数のプリコーダ行列情報との組み合わせを前記フィードバック情報に含める。
【００２０】
動作パターン２では、前記ユーザ端末は、前記複数のランク情報のそれぞれについて、前記評価値と閾値との比較結果に応じてプリコーダ行列情報を選択する。前記ユーザ端末は、前記複数のランク情報のそれぞれと前記選択したプリコーダ行列情報との組み合わせを前記フィードバック情報に含める。
【００２１】
或いは、前記ユーザ端末は、前記複数のランク情報のそれぞれについて、前記評価値の最高値又は最低値との差分が閾値よりも小さいプリコーダ行列情報を選択する。前記ユーザ端末は、前記ランク情報のそれぞれと前記選択したプリコーダ行列情報との組み合わせを前記フィードバック情報に含める。
【００２２】
動作パターン３では、前記ユーザ端末は、前記評価値と閾値との比較結果に応じてプリコーダ行列情報と、該プリコーダ行列情報に対応するランク情報と、の組み合わせを選択する。前記ユーザ端末は、前記選択した組み合わせを前記フィードバック情報に含める。
【００２３】
動作パターン４では、前記ユーザ端末は、前記複数の組み合わせのそれぞれに、前記評価値に応じて定められる優先順位を示す優先順位情報を付加する。前記ユーザ端末は、前記優先順位情報が付加された前記複数の組み合わせを前記フィードバック情報に含める。
【００２４】
動作パターン５では、前記プリコーダ行列情報の評価値は、該プリコーダ行列情報に対応するプリコーダ行列が適用された場合に推奨される変調・符号化方式を示すチャネル品質情報である。前記ユーザ端末は、前記評価値と、フィードバックするチャネル品質情報との比較結果に応じたプリコーダ行列情報と、該プリコーダ行列情報に対応するランク情報と、の組み合わせを選択する。前記ユーザ端末は、前記選択した組み合わせを前記フィードバック情報に含める。
【００２５】
動作パターン６では、動作パターン２において、前記ユーザ端末は、さらに、非選択のプリコーダ行列情報をヌル値に設定して前記フィードバック情報に含める。
【００２６】
動作パターン７では、前記ユーザ端末は、前記評価値に応じて所定数の前記組み合わせを選択する。前記ユーザ端末は、前記選択した組み合わせを前記フィードバック情報に含める。
【００２７】
動作パターン８では、動作パターン７において、前記ユーザ端末は、前記選択した組み合わせのうち、前記評価値と閾値との比較結果に応じてプリコーダ行列情報をヌル値に設定して前記フィードバック情報に含める。
【００２８】
第１実施形態に係るユーザ端末は、下りリンクの送信指向性を定めるプリコーダ行列と下りリンクの信号系列数を定めるランクとを適用して下りリンク・マルチアンテナ伝送を行う移動通信システムにおいて用いられる。ユーザ端末は、対象周波数帯についてのフィードバック情報を基地局にフィードバックする制御部を有する。前記フィードバック情報は、前記プリコーダ行列を示すプリコーダ行列情報と前記ランクを示すランク情報との組み合わせを複数含む。
【００２９】
第１実施形態に係るプロセッサは、下りリンクの送信指向性を定めるプリコーダ行列と下りリンクの信号系列数を定めるランクとを適用して下りリンク・マルチアンテナ伝送を行う移動通信システムにおけるユーザ端末に備えられる。プロセッサは、前記ユーザ端末が、対象周波数帯についてのフィードバック情報を前記基地局にフィードバックするための処理を行う。前記フィードバック情報は、前記プリコーダ行列を示すプリコーダ行列情報と前記ランクを示すランク情報との組み合わせを複数含む。
【００３０】
第１実施形態に係る基地局は、下りリンクの送信指向性を定めるプリコーダ行列と下りリンクの信号系列数を定めるランクとを適用して下りリンク・マルチアンテナ伝送を行う移動通信システムにおいて用いられる。基地局は、対象周波数帯についてのフィードバック情報をユーザ端末から受信する受信部を有する。前記フィードバック情報は、前記プリコーダ行列を示すプリコーダ行列情報と前記ランクを示すランク情報との組み合わせを複数含む。
【００３１】
第１実施形態に係るプロセッサは、下りリンクの送信指向性を定めるプリコーダ行列と下りリンクの信号系列数を定めるランクとを適用して下りリンク・マルチアンテナ伝送を行う移動通信システムにおける基地局に備えられる。プロセッサは、前記基地局が、対象周波数帯についてのフィードバック情報をユーザ端末から受信するための処理を行う。前記フィードバック情報は、前記プリコーダ行列を示すプリコーダ行列情報と前記ランクを示すランク情報との組み合わせを複数含む。
【００３２】
以下、図面を参照して、３ＧＰＰ規格に準拠して構成される移動通信システム（ＬＴＥシステム）に本発明を適用する場合の実施形態を説明する。
【００３３】
（１．２）ＬＴＥシステム
図１は、第１実施形態に係るＬＴＥシステムの構成図である。
【００３４】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００３５】
ＵＥ１００は、移動型の無線通信装置であり、接続を確立したセル（サービングセル）との無線通信を行う。ＵＥ１００はユーザ端末に相当する。
【００３６】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを構成しており、セルとの接続を確立したＵＥ１００との無線通信を行う。
【００３７】
なお、「セル」は、無線通信エリアの最小単位を示す用語として使用される他に、ＵＥ１００との無線通信を行う機能を示す用語としても使用される。
【００３８】
ｅＮＢ２００は、例えば、無線リソース管理（ＲＲＭ）機能と、ユーザデータのルーティング機能と、モビリティ制御及びスケジューリングのための測定制御機能と、を有する。
【００３９】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００４０】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００４１】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００４２】
ＯＡＭ４００は、オペレータによって管理されるサーバ装置であり、Ｅ−ＵＴＲＡＮ１０の保守及び監視を行う。
【００４３】
次に、ＵＥ１００及びｅＮＢ２００の構成を説明する。
【００４４】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００４５】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４６】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４８】
ＧＮＳＳ受信機１３０は、ＵＥ１００の地理的な位置を示す位置情報を得るために、ＧＮＳＳ信号を受信して、受信した信号をプロセッサ１６０に出力する。
【００４９】
バッテリ１４０は、ＵＥ１００の各ブロックに供給すべき電力を蓄える。
【００５０】
メモリ１５０は、プロセッサ１６０によって実行されるプログラムと、プロセッサ１６０による処理に使用される情報と、を記憶する。
【００５１】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００５２】
第１実施形態では、プロセッサ１６０は、無線送受信機１１０が受信する信号（特に、参照信号）に基づいてチャネル状態情報（ＣＳＩ）を生成し、当該チャネル状態情報をサービングセル又は隣接セルにフィードバックする。チャネル状態情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）などを含む。
【００５３】
フィードバック対象となる周波数単位（対象周波数帯）としては、「下りリンク全帯域」又は「サブバンド」が規定されており、何れを用いるかはｅＮＢ２００からの指示に応じて定められる。サブバンドは、下りリンク全帯域を分割した周波数単位であり、複数リソースブロック分の帯域幅を有する。フィードバックされる情報（ＰＭＩ、ＲＩ、ＣＱＩなど）の詳細については後述する。
【００５４】
図３は、ｅＮＢ２００のブロック図である。図３に示すように、ｅＮＢ２００は、複数のアンテナ２０１と、無線送受信機２１０と、ネットワークインターフェイス２２０と、メモリ２３０と、プロセッサ２４０と、を有する。メモリ２３０及びプロセッサ２４０は、制御部を構成する。
【００５５】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００５６】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信と、Ｓ１インターフェイス上で行う通信と、に用いられる。
【００５７】
メモリ２３０は、プロセッサ２４０によって実行されるプログラムと、プロセッサ２４０による処理に使用される情報と、を記憶する。
【００５８】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５９】
第１実施形態では、プロセッサ２４０は、プリコーダ行列及びランクを適用して下りリンク・マルチアンテナ伝送を行う。図４は、下りリンク・マルチアンテナ伝送に関連するプロセッサ２４０のブロック図である。各ブロックの詳細は例えば３ＧＰＰ  ＴＳ  ３６．２１１に記載されているが、ここではその概要を説明する。
【００６０】
図４に示すように、物理チャネル上で送信すべき１つ又は２つのコードワードは、スクランブルされ、かつ変調シンボルに変調された後、レイヤマッパ２４１によって複数のレイヤにマッピングされる。コードワードは、誤り訂正のデータ単位である。ランク（レイヤ数）は、フィードバックされるＲＩに基づいて定められる。
【００６１】
プリコーダ２４２は、プリコーダ行列を用いて、各レイヤの変調シンボルをプリコーディングする。プリコーダ行列は、フィードバックされるＰＭＩに基づいて定められる。プリコーディングされた変調シンボルは、リソースエレメントにマッピングされ、かつ時間領域のＯＦＤＭ信号に変換されて、各アンテナポートに出力される。
【００６２】
図５は、ＬＴＥシステムにおける無線インターフェイスのプロトコルスタック図である。
【００６３】
図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００６４】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００６５】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するＭＡＣスケジューラを含む。
【００６６】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００６７】
ＰＤＣＰレイヤは、ヘッダ圧縮・伸張、及び暗号化・復号化を行う。
【００６８】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  Ｃｏｎｎｅｃｔｅｄ  Ｓｔａｔｅ）であり、そうでない場合、ＵＥ１００はアイドル状態（ＲＲＣ  Ｉｄｌｅ  Ｓｔａｔｅ）である。
【００６９】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００７０】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００７１】
複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式が使用されるが、第１実施形態では主としてＦＤＤ方式を想定する。
【００７２】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００７３】
ＵＥ１００に割り当てられる無線リソースのうち、周波数リソースはリソースブロックにより特定でき、時間リソースはサブフレーム（又はスロット）により特定できる。
【００７４】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）などの参照信号が分散して配置される。
【００７５】
ＰＤＣＣＨは、制御情報を搬送する。制御情報は、例えば、上りリンクＳＩ（Ｓｃｈｅｄｕｌｉｎｇ  Ｉｎｆｏｒｍａｔｉｏｎ）、下りリンクＳＩ、ＴＰＣビットである。上りリンクＳＩは上りリンクの無線リソースの割当てを示す情報であり、下りリンクＳＩは、下りリンクの無線リソースの割当てを示す情報である。ＴＰＣビットは、上りリンクの送信電力の増減を指示する情報である。
【００７６】
ＰＤＳＣＨは、制御情報及び／又はユーザデータを搬送する。例えば、下りリンクのデータ領域は、ユーザデータにのみ割当てられてもよく、ユーザデータ及び制御情報が多重されるように割当てられてもよい。
【００７７】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００７８】
ＰＵＣＣＨは、制御情報を搬送する。制御情報は、例えば、ＣＱＩ、ＰＭＩ、ＲＩ、ＳＲ（Ｓｃｈｅｄｕｌｉｎｇ  Ｒｅｑｕｅｓｔ）、ＡＣＫ／ＮＡＣＫなどである。
【００７９】
ＣＱＩは、下りリンクの受信状態に基づく、下りリンクで用いるのに好ましい変調及び符号化方式（すなわち、推奨ＭＣＳ）を示す。
【００８０】
ＰＭＩは、下りリンクで用いるのに好ましいプリコーダ行列を示す情報である。言い換えると、ＰＭＩは、当該ＰＭＩの送信元のＵＥに対してビームが向くプリコーダ行列を示す情報である。例えば、ＵＥ１００は、自身の受信状態が改善されるように、ｅＮＢ２００にフィードバックするＰＭＩを選択する。
【００８１】
ＲＩは、下りリンクで用いるのに好ましいランクを示す。例えば、ＵＥ１００は、自身の受信状態に相応しいランクが適用されるように、ｅＮＢ２００にフィードバックするＰＭＩを選択する。
【００８２】
ＳＲは、上りリンクの無線リソースの割当てを要求する情報である。
【００８３】
ＡＣＫ／ＮＡＣＫは、下りリンクの物理チャネル（例えば、ＰＤＳＣＨ）を介して送信される信号のデコードに成功したか否かを示す情報である。
【００８４】
ＰＵＳＣＨは、制御情報及び／又はユーザデータを搬送する物理チャネルである。例えば、上りリンクのデータ領域は、ユーザデータにのみ割当てられてもよく、ユーザデータ及び制御情報が多重されるように割当てられてもよい。
【００８５】
（１．３）第１実施形態に係る動作
以下、第１実施形態に係る動作について説明する。
【００８６】
（１．３．１）動作概要
図７及び図８は、第１実施形態に係る動作環境を示す図である。図７及び図８において、ｅＮＢ２００−１及びｅＮＢ２００−２は、互いに隣接するセルを構成する。
【００８７】
図７に示すように、ＵＥ１００−１は、ｅＮＢ２００−１のセルとの接続を確立している。すなわち、ＵＥ１００−１は、ｅＮＢ２００−１のセルをサービングセルとして通信を行う。
【００８８】
第１実施形態では、ＵＥ１００−１は、ｅＮＢ２００−１及びｅＮＢ２００−２のそれぞれのセルの境界領域に位置している。このような場合には、通常、ＵＥ１００−１は、ｅＮＢ２００−２のセルからの干渉の影響を受ける。
【００８９】
ＵＥ１００−２は、ｅＮＢ２００−２のセルとの接続を確立している。すなわち、ＵＥ１００−２は、ｅＮＢ２００−２のセルをサービングセルとして通信を行う。なお、図７ではＵＥ１００−２を１つのみ図示しているが、複数のＵＥ１００−２がｅＮＢ２００−２のセルとの接続を確立していてもよい。
【００９０】
ｅＮＢ２００−１及びｅＮＢ２００−２は、ｅＮＢ２００−１のセル端に位置するＵＥ１００−１のスループットを改善するために、ＣＢ−ＣｏＭＰを行う。ＣＢ−ＣｏＭＰにおいて、ＵＥ１００−１のサービングセルは「アンカーセル」と称される。
【００９１】
また、ＣＢ−ＣｏＭＰにおいて、主な干渉源となるｅＮＢ２００−２は、ＵＥ１００−１に対して与える干渉の影響を小さくするように送信指向性を調整する。具体的には、ｅＮＢ２００−２は、ＵＥ１００−１にヌルを向けつつ、ＵＥ１００−２にビームを向けて、ＵＥ１００−２への送信を行う。
【００９２】
ＣＢ−ＣｏＭＰの対象となるＵＥ１００−１は、ｅＮＢ２００−１に対する通常のフィードバック（ＰＭＩ、ＲＩ、及びＣＱＩ）に加えて、ｅＮＢ２００−２に対する特殊なフィードバックを行う。第１実施形態では、ＵＥ１００−１は、ｅＮＢ２００−２に対して特殊なＰＭＩ及びＲＩをフィードバックする。
【００９３】
通常のＰＭＩは、ＵＥ１００−１への下りリンク・マルチアンテナ伝送に適用されるプリコーダ行列を決定するために使用され、かつ、ＵＥ１００−１にとって好ましいプリコーダ行列（ＵＥ１００−１にビームが向くプリコーダ行列）を示す情報である。ＵＥ１００−１は、ｅＮＢ２００−１から受信する参照信号などに基づいて通常のＰＭＩのフィードバックを行う。
【００９４】
これに対し、特殊なＰＭＩは、ＵＥ１００−１以外のＵＥ１００（例えばＵＥ１００−２）への下りリンク・マルチアンテナ伝送に適用されるプリコーダ行列を決定するために使用され、かつ、ＵＥ１００−１にとって好ましいプリコーダ行列（ＵＥ１００−１にヌルが向くプリコーダ行列）を示す情報である。このようなＰＭＩは、ＢＣ（Ｂｅｓｔ  Ｃｏｍｐａｎｉｏｎ）−ＰＭＩと称される。ＵＥ１００−１は、ｅＮＢ２００−２から受信する参照信号などに基づいてＢＣ−ＰＭＩのフィードバックを行う。
【００９５】
例えば、ｅＮＢ２００−２に対するフィードバック情報は、ｅＮＢ２００−２がＵＥ１００−１に対して与える干渉の影響が小さいＢＣ−ＰＭＩ及びＲＩの組み合わせを複数含む。第１実施形態において、ＢＣ−ＰＭＩはプリコーダ行列情報に相当し、ＲＩはランク情報に相当する。ＢＣ−ＰＭＩ及びＲＩのフィードバックをサブバンド毎に行う設定の場合には、１つのサブバンドについてのフィードバック情報はＢＣ−ＰＭＩ及びＲＩの組み合わせを複数含む。
【００９６】
例えば、当該干渉の影響が小さい方からｎ個（ｎ≧２）のＢＣ−ＰＭＩを含む組み合わせとしてもよく、当該干渉の影響が閾値未満のＢＣ−ＰＭＩを含む組み合わせとしてもよい。ＢＣ−ＰＭＩ及びＲＩのフィードバック方法の詳細については後述する。
【００９７】
なお、ＵＥ１００−１は、ＢＣ−ＰＭＩ及びＲＩの組み合わせを、サービングセル（ｅＮＢ２００−１）経由でｅＮＢ２００−２にフィードバックしてもよく、ｅＮＢ２００−２に直接フィードバックしてもよい。
【００９８】
例えば、ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内ＵＥ１００（ＵＥ１００−２）に対して、ＵＥ１００−１と同一の無線リソースを割り当てる。ここで、ｅＮＢ２００−２は、ＵＥ１００−１のスケジューリング情報を動的又は準静的にｅＮＢ２００−１と共有していることを前提とする。そして、ｅＮＢ２００−２は、当該一致するＰＭＩ及びＲＩに従ってＵＥ１００−２への送信を行う。
【００９９】
その結果、図８に示すように、ｅＮＢ２００−２は、ＵＥ１００−１にヌルを向けつつ、ＵＥ１００−２にビームを向けて、ＵＥ１００−２への送信を行うことができる。これにより、ＵＥ１００−１に対する干渉を抑圧できる。
【０１００】
なお、ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内ＵＥ１００が存在しない場合には、ＵＥ１００−１と同一の無線リソースへの割当を行わない、又は一致していないＰＭＩであっても割当を行う、の２通りの動作が考えられる。
【０１０１】
一方、ｅＮＢ２００−１は、ＵＥ１００−１からフィードバックされた通常のＰＭＩ及びＲＩに従ってＵＥ１００−１への送信を行う。その結果、ｅＮＢ２００−１は、ＵＥ１００−１にビームを向けることができる。
【０１０２】
（１．３．２）動作シーケンス
図９は、第１実施形態に係る動作シーケンス図である。
【０１０３】
図９に示すように、ステップＳ１１において、ｅＮＢ２００−１は、ｅＮＢ２００−２に対するＢＣ−ＰＭＩ（及びＲＩ）のフィードバック方法についてＵＥ１００−１に指示する。当該指示は、例えば、後述する動作パターン１乃至８の何れかを指示するものである。或いは、動作パターン１乃至８の何れかで使用される閾値などを指示するものであってもよい。
【０１０４】
ステップＳ１２において、ＵＥ１００−１は、ｅＮＢ２００−１及びｅＮＢ２００−２のそれぞれから受信する参照信号（ＣＲＳ、ＣＳＩ−ＲＳなど）に基づいて、予め規定された複数のＲＩのそれぞれについて、予め規定された複数のＰＭＩ（ＢＣ−ＰＭＩ）のそれぞれの評価値を計算する。第１実施形態では、ＢＣ−ＰＭＩの評価値とは、当該ＢＣ−ＰＭＩを適用した場合に想定される干渉レベル（干渉電力）である。サブバンド毎のフィードバックの場合には、ＵＥ１００−１は、サブバンド毎、かつＲＩ毎に、各ＢＣ−ＰＭＩの評価値を計算する。そして、ＵＥ１００−１は、評価値に基づいて、フィードバック情報に含めるＢＣ−ＰＭＩ及びＲＩの複数の組み合わせを選択する。ステップＳ１２の詳細については後述する。
【０１０５】
ステップＳ１３において、ＵＥ１００−１は、ステップＳ１２で選択したＢＣ−ＰＭＩ及びＲＩの複数の組み合わせを含むフィードバック情報をｅＮＢ２００−２にフィードバックする。なお、ＵＥ１００−１は、ＢＣ−ＰＭＩ及びＲＩの複数の組み合わせを、サービングセル（ｅＮＢ２００−１）経由でｅＮＢ２００−２にフィードバックしてもよく、ｅＮＢ２００−２に直接フィードバックしてもよい。
【０１０６】
ステップＳ１４において、ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内ＵＥ１００（例えばＵＥ１００−２）に対して、ＵＥ１００−１と同一の無線リソースを割り当てる。ここで、ｅＮＢ２００−２は、ＵＥ１００−１のスケジューリング情報を動的又は準静的にｅＮＢ２００−１と共有していることを前提とする。
【０１０７】
ステップＳ１５において、ｅＮＢ２００−２は、当該一致するＰＭＩ及びＲＩを適用してＵＥ１００−２への送信を行う。なお、ＰＭＩ（及びＢＣ−ＰＭＩ）は、プリコーダ行列（ＰＭ）のインデックスであり、ＲＩは、ランク（信号レイヤ数）のインデックスである。よって、ｅＮＢ２００−２は、ＰＭＩが示すプリコーダ行列及びＲＩが示すランクを用いて送信を行う。
【０１０８】
（１．３．３）ＵＥの動作
次に、ＵＥ１００−１によるフィードバック方法、具体的には、フィードバックするＢＣ−ＰＭＩ及びＲＩの組み合わせを選択する動作について説明する。
【０１０９】
（１．３．３．１）動作パターン１
動作パターン１では、ＵＥ１００−１は、複数のＲＩのそれぞれについて、干渉レベルが低い方から所定数（固定長）のＢＣ−ＰＭＩを選択する。ＵＥ１００−１は、複数のＲＩのそれぞれと当該選択した所定数（固定長）のＢＣ−ＰＭＩとの組み合わせをフィードバック情報に含める。
【０１１０】
図１０は、動作パターン１で使用されるフィードバック情報の構成例を示す図である。図１０では、サブバンド毎のフィードバックのケースを想定している。
【０１１１】
図１０に示すように、動作パターン１で使用されるフィードバック情報は、複数のＲＩ（ＲＩ  ０乃至ＲＩ  Ｎ）のそれぞれと、選択した所定数（固定長）のＢＣ−ＰＭＩと、の組み合わせを含む。ここでは、選択した所定数（固定長）のＢＣ−ＰＭＩは、干渉レベルが低い方から２個のＢＣ−ＰＭＩ、すなわち、干渉レベルが最も低いＢＣ−ＰＭＩ及び干渉レベルが２番目に低いＢＣ−ＰＭＩである。
【０１１２】
図１１は、動作パターン１におけるＵＥ１００−１の動作フロー図である。図１１では、サブバンド毎のフィードバックのケースを想定している。
【０１１３】
図１１に示すように、ステップＳ１０１及びＳ１０２の処理は、各サブバンド、各ＲＩ、かつ各ＰＭＩ（ＢＣ−ＰＭＩ）について実行される。
【０１１４】
ステップＳ１０１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０１１５】
ステップＳ１０２において、ＵＥ１００−１は、対象サブバンド、対象ＲＩ、対象ＰＭＩ（ＢＣ−ＰＭＩ）、及び干渉レベルの組み合わせを保持する。
【０１１６】
ステップＳ１０３の処理は、各サブバンド、かつ各ＲＩについて実行される。
【０１１７】
ステップＳ１０３において、ＵＥ１００−１は、ステップＳ１０２で保持した各組み合わせを干渉レベルに基づいて昇順にソートする。
【０１１８】
ステップＳ１０４において、ＵＥ１００−１は、各サブバンド、かつ各ＲＩについて、ステップＳ１０３でソートした組み合わせに基づいて、干渉レベルが低いものから所定数（固定長）のＰＭＩ（ＢＣ−ＰＭＩ）及びＲＩの組み合わせを選択してフィードバック情報に含める。
【０１１９】
（１．３．３．２）動作パターン２
動作パターン２−１では、ＵＥ１００−１は、複数のＲＩのそれぞれについて、干渉レベルが閾値以下のＢＣ−ＰＭＩを選択する。ＵＥ１００−１は、複数のＲＩのそれぞれと当該選択したＢＣ−ＰＭＩとの組み合わせをフィードバック情報に含める。
【０１２０】
動作パターン２−２では、ＵＥ１００−１は、複数のＲＩのそれぞれについて、最も低い干渉レベルとの差分が閾値よりも小さいＢＣ−ＰＭＩを選択する。ＵＥ１００−１は、ＲＩのそれぞれと当該選択したＢＣ−ＰＭＩとの組み合わせをフィードバック情報に含める。
【０１２１】
なお、閾値は、ｅＮＢ２００−１からの指示に応じて設定されてもよく、ＵＥ１００−１が予め保持していてもよい。
【０１２２】
図１２は、動作パターン２で使用されるフィードバック情報の構成例を示す図である。図１２では、全帯域のフィードバックのケースを想定している。
【０１２３】
図１２に示すように、動作パターン２で使用されるフィードバック情報は、複数のＲＩ（ＲＩ  ０乃至ＲＩ  Ｎ）のそれぞれと、干渉レベル（絶対値又は差分値）が閾値以下のＢＣ−ＰＭＩと、の組み合わせを含む。動作パターン２では、１つのＲＩに対応するＢＣ−ＰＭＩの数は可変である。
【０１２４】
図１３は、動作パターン２−１におけるＵＥ１００−１の動作フロー図である。図１３では、サブバンド毎のフィードバックのケースを想定している。
【０１２５】
図１３に示すように、ステップＳ２０１乃至Ｓ２０３の処理は、各サブバンド、各ＲＩ、かつ各ＰＭＩ（ＢＣ−ＰＭＩ）について実行される。
【０１２６】
ステップＳ２０１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０１２７】
ステップＳ２０２において、ＵＥ１００−１は、ステップＳ２０１で計算した干渉レベルが閾値以下であるか否かを判定する。ステップＳ２０２で「ＹＥＳ」の場合、処理がステップＳ２０３に進む。
【０１２８】
ステップＳ２０３において、ＵＥ１００−１は、対象サブバンド、対象ＲＩ、及び対象ＰＭＩ（ＢＣ−ＰＭＩ）の組み合わせを保持する。
【０１２９】
ステップＳ２０４において、ＵＥ１００−１は、ステップＳ２０３で保持した組み合わせを選択してフィードバック情報に含める。
【０１３０】
図１４は、動作パターン２−２におけるＵＥ１００−１の動作フロー図である。図１４では、サブバンド毎のフィードバックのケースを想定している。
【０１３１】
図１４に示すように、ステップＳ２１１及びＳ２１２の処理は、各サブバンド、各ＲＩ、かつ各ＰＭＩ（ＢＣ−ＰＭＩ）について実行される。
【０１３２】
ステップＳ２１１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０１３３】
ステップＳ２１２において、ＵＥ１００−１は、対象サブバンド、対象ＲＩ、対象ＰＭＩ（ＢＣ−ＰＭＩ）、及び干渉レベルの組み合わせを保持する。
【０１３４】
ステップＳ２１３の処理は、各サブバンド、かつ各ＲＩについて実行される。
【０１３５】
ステップＳ２１３において、ＵＥ１００−１は、ステップＳ２１２で保持した組み合わせの中から、干渉レベルが最小となる組み合わせを探索して保持する。
【０１３６】
ステップＳ２１４の処理は、各サブバンド、各ＲＩ、かつ各ＰＭＩ（ＢＣ−ＰＭＩ）について実行される。
【０１３７】
ステップＳ２１４において、ＵＥ１００−１は、ステップＳ２１２で保持した組み合わせに基づいて、干渉レベルが最小となるＰＭＩ（ＢＣ−ＰＭＩ）と対象ＰＭＩとの差分が閾値以下であるか否かを判定する。ステップＳ２１４で「ＹＥＳ」の場合、処理がステップＳ２１５に進む。
【０１３８】
ステップＳ２１５において、ＵＥ１００−１は、対象サブバンド、対象ＲＩ、及び対象ＰＭＩ（ＢＣ−ＰＭＩ）の組み合わせを保持する。
【０１３９】
ステップＳ２１６において、ＵＥ１００−１は、ステップＳ２１５で保持した各組み合わせを選択してフィードバック情報に含める。
【０１４０】
（１．３．３．３）動作パターン３
動作パターン３では、ＵＥ１００−１は、干渉レベルが閾値以下のＢＣ−ＰＭＩと、当該ＢＣ−ＰＭＩに対応するＲＩと、の組み合わせを選択する。ＵＥ１００−１は、当該選択した組み合わせをフィードバック情報に含める。
【０１４１】
なお、閾値は、ｅＮＢ２００−１からの指示に応じて設定されてもよく、ＵＥ１００−１が予め保持していてもよい。
【０１４２】
図１５は、動作パターン３で使用されるフィードバック情報の構成例を示す図である。図１５では、全帯域のフィードバックのケースを想定している。
【０１４３】
図１５に示すように、動作パターン３で使用されるフィードバック情報は、干渉レベルが閾値以下のＢＣ−ＰＭＩと、当該ＢＣ−ＰＭＩに対応するＲＩと、の組み合わせを含む。また、フィードバック情報に含める各組み合わせには、干渉レベルが低い方から順に優先順位（Ｐｒｉｏｒｉｔｙ）が設定されている。なお、図１５の例では、フィードバック情報は可変長であるため、データ長のフィールドが設けられている。
【０１４４】
図１６は、動作パターン３におけるＵＥ１００−１の動作フロー図である。図１６では、サブバンド毎のフィードバックのケースを想定している。
【０１４５】
図１６に示すように、ステップＳ３０１乃至Ｓ３０３の処理は、各サブバンド、各ＲＩ、かつ各ＰＭＩ（ＢＣ−ＰＭＩ）について実行される。
【０１４６】
ステップＳ３０１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０１４７】
ステップＳ３０２において、ＵＥ１００−１は、ステップＳ３０１で計算した干渉レベルが閾値以下であるか否かを判定する。ステップＳ３０２で「ＹＥＳ」の場合、処理がステップＳ３０３に進む。
【０１４８】
ステップＳ３０３において、ＵＥ１００−１は、対象サブバンド、対象ＲＩ、及び対象ＰＭＩ（ＢＣ−ＰＭＩ）の組み合わせを保持する。
【０１４９】
ステップＳ３０４の処理は、各サブバンドについて実行される。
【０１５０】
ステップＳ３０４において、ＵＥ１００−１は、ステップＳ３０３で保持した各組み合わせを干渉レベルに基づいて昇順にソートする。
【０１５１】
ステップＳ３０５において、ＵＥ１００−１は、ステップＳ３０４でソートした情報（各組み合わせ）を選択してフィードバック情報に含める。
【０１５２】
（１．３．３．４）動作パターン４
動作パターン４では、ＵＥ１００−１は、ＢＣ−ＰＭＩ及びＲＩの組み合わせのそれぞれに、干渉レベルに応じて定められる優先順位（Ｐｒｉｏｒｉｔｙ）を示す優先順位情報を付加する。ＵＥ１００−１は、優先順位情報が付加された複数の組み合わせをフィードバック情報に含める。
【０１５３】
図１７は、動作パターン４で使用されるフィードバック情報の構成例を示す図である。図１７では、全帯域のフィードバックのケースを想定している。
【０１５４】
図１７に示すように、動作パターン４で使用されるフィードバック情報は、ＢＣ−ＰＭＩ及びＲＩの組み合わせのそれぞれに、干渉レベルに応じて定められる優先順位（Ｐｒｉｏｒｉｔｙ）を示す優先順位情報が付加される。
【０１５５】
図１８は、動作パターン４におけるＵＥ１００−１の動作フロー図である。図１８では、サブバンド毎のフィードバックのケースを想定している。
【０１５６】
図１８に示すように、ステップＳ４０１及びＳ４０２の処理は、各サブバンド、各ＲＩ、かつ各ＰＭＩ（ＢＣ−ＰＭＩ）について実行される。
【０１５７】
ステップＳ４０１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０１５８】
ステップＳ４０２において、ＵＥ１００−１は、対象サブバンド、対象ＲＩ、対象ＰＭＩ（ＢＣ−ＰＭＩ）、及び干渉レベルの組み合わせを保持する。
【０１５９】
ステップＳ４０３の処理は、各サブバンドかつ各ＲＩについて実行される。
【０１６０】
ステップＳ４０３において、ＵＥ１００−１は、ステップＳ４０２で保持した組み合わせを、干渉レベルに基づいて昇順にソートする。
【０１６１】
ステップＳ４０４の処理は、各サブバンドについて実行される。
【０１６２】
ステップＳ４０４において、ＵＥ１００−１は、ステップＳ４０２で保持した各組み合わせについて、干渉レベルが低い方から順に高い優先順位を与えて、優先順位情報を保持する。
【０１６３】
ステップＳ４０５において、ＵＥ１００−１は、ステップＳ４０３で保持した情報（ＢＣ−ＰＭＩ、ＲＩ、優先順位情報の組み合わせ）の中から所定数（固定長）を選択してフィードバック情報に含める。
【０１６４】
（１．３．３．５）動作パターン５
動作パターン５では、ＢＣ−ＰＭＩの評価値は、該ＢＣ−ＰＭＩに対応するプリコーダ行列が適用された場合に推奨される変調・符号化方式（ＭＣＳ）を示すＣＱＩ（チャネル品質情報）である。ＵＥ１００−１は、評価値としてのＣＱＩが、ｅＮＢ２００−１にフィードバックする通常のＣＱＩ以上になるＢＣ−ＰＭＩと、該ＢＣ−ＰＭＩに対応するＲＩと、の組み合わせを選択する。ＵＥ１００−１は、当該選択した組み合わせをフィードバック情報に含める。
【０１６５】
図１９は、動作パターン５で使用されるフィードバック情報の構成例を示す図である。図１９では、全帯域のフィードバックのケースを想定している。
【０１６６】
図１９に示すように、動作パターン５で使用されるフィードバック情報は、評価値としてのＣＱＩが、ｅＮＢ２００−１にフィードバックする通常のＣＱＩ以上になるＢＣ−ＰＭＩと、該ＢＣ−ＰＭＩに対応するＲＩと、の組み合わせを含む。なお、図１９の例では、フィードバック情報は可変長であるため、データ長のフィールドが設けられている。
【０１６７】
図２０は、動作パターン５におけるＵＥ１００−１の動作フロー図である。図２０では、サブバンド毎のフィードバックのケースを想定している。また、ＢＣ−ＰＭＩのフィードバックタイミングとＣＱＩのフィードバックタイミングとが異なるケースを想定している。
【０１６８】
図２０に示すように、ステップＳ５０１において、ＵＥ１００−１は、ｅＮＢ２００−１（アンカーセル）にフィードバックする、又はフィードバックした通常のＣＱＩを保持する。
【０１６９】
ステップＳ５０２乃至Ｓ５０４の処理は、各サブバンド、各ＲＩ、かつ各ＰＭＩ（ＢＣ−ＰＭＩ）について実行される。
【０１７０】
ステップＳ５０２において、ＵＥ１００−１は、対象サブバンド及び対象ＲＩが適用される条件下において、対象ＰＭＩ（ＢＣ−ＰＭＩ）が適用された場合のＣＱＩを計算する。
【０１７１】
ステップＳ５０３において、ＵＥ１００−１は、ステップＳ５０２で計算したＣＱＩがステップＳ５０１で保持した通常のＣＱＩ以上であるか否かを判定する。ステップＳ５０３の結果が「ＹＥＳ」である場合、処理がステップＳ５０４に進む。
【０１７２】
ステップＳ５０４において、ＵＥ１００−１は、対象サブバンド、対象ＲＩ、及び対象ＰＭＩ（ＢＣ−ＰＭＩ）の組み合わせを保持する。
【０１７３】
ステップＳ５０５において、ＵＥ１００−１は、ステップＳ５０４で保持した各組み合わせを選択してフィードバック情報に含める。
【０１７４】
図２０のフローはＢＣ−ＰＭＩのフィードバックタイミングとＣＱＩのフィードバックタイミングとが異なるケースを想定していたが、これらのタイミングが同じタイミングである場合には、図２１のフローを採用できる。
【０１７５】
図２１は、動作パターン５におけるＵＥ１００−１の動作フロー図である。図２１では、サブバンド毎のフィードバックのケースを想定している。また、ＢＣ−ＰＭＩのフィードバックタイミングとＣＱＩのフィードバックタイミングとが同じであるケースを想定している。
【０１７６】
図２１に示すように、ステップＳ５１１及びＳ５１２の処理は、各サブバンド、各ＲＩ、かつ各ＰＭＩ（ＢＣ−ＰＭＩ）について実行される。
【０１７７】
ステップＳ５１１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０１７８】
ステップＳ５１２において、ＵＥ１００−１は、対象サブバンド、対象ＲＩ、対象ＰＭＩ（ＢＣ−ＰＭＩ）、及び干渉レベルの組み合わせを保持する。
【０１７９】
ステップＳ５１３の処理は、各サブバンドについて実行される。
【０１８０】
ステップＳ５１３において、ＵＥ１００−１は、ステップＳ５１２で保持した組み合わせの中から、干渉レベルが最小となるＰＭＩ（ＢＣ−ＰＭＩ）を用いた場合のＣＱＩを計算する。
【０１８１】
ステップＳ５１４乃至Ｓ５１６の処理は、各サブバンド、各ＲＩ、かつ各ＰＭＩ（ＢＣ−ＰＭＩ）について実行される。
【０１８２】
ステップＳ５１４において、ＵＥ１００−１は、対象サブバンド及び対象ＲＩが適用される条件下において、対象ＰＭＩ（ＢＣ−ＰＭＩ）が適用された場合のＣＱＩを計算する。
【０１８３】
ステップＳ５１５において、ＵＥ１００−１は、ステップＳ５１４で計算したＣＱＩがステップＳ５１３で計算したＣＱＩ以上であるか否かを判定する。ステップＳ５１５の結果が「ＹＥＳ」である場合、処理がステップＳ５１６に進む。
【０１８４】
ステップＳ５１６において、ＵＥ１００−１は、対象サブバンド、対象ＲＩ、及び対象ＰＭＩ（ＢＣ−ＰＭＩ）の組み合わせを保持する。
【０１８５】
ステップＳ５１７において、ＵＥ１００−１は、ステップＳ５１６で保持した各組み合わせを選択してフィードバック情報に含める。
【０１８６】
（１．３．３．６）動作パターン６
動作パターン６では、ＵＥ１００−１は、さらに、非選択のＢＣ−ＰＭＩをヌル値（無効値）に設定してフィードバック情報に含める。すなわち、ＵＥ１００−１は、複数のＲＩのそれぞれについて、干渉レベルが閾値以上のＢＣ−ＰＭＩをヌル値に設定する。
【０１８７】
なお、閾値は、ｅＮＢ２００−１からの指示に応じて設定されてもよく、ＵＥ１００−１が予め保持していてもよい。
【０１８８】
図２２は、動作パターン６で使用されるフィードバック情報の構成例を示す図である。図２２では、全帯域のフィードバックのケースを想定している。
【０１８９】
図２２に示すように、動作パターン６で使用されるフィードバック情報は、複数のＲＩ（ＲＩ  ０乃至ＲＩ  Ｎ）のそれぞれと、所定数（固定長）のＢＣ−ＰＭＩと、の組み合わせを含む。このように、動作パターン６では、１つのＲＩに対応するＢＣ−ＰＭＩの数は固定である。ただし、干渉レベルが閾値以上のＢＣ−ＰＭＩはヌル値に設定される。
【０１９０】
図２３は、動作パターン６におけるＵＥ１００−１の動作フロー図である。図２３では、サブバンド毎のフィードバックのケースを想定している。
【０１９１】
図２３に示すように、ステップＳ６０１乃至Ｓ６０４の処理は、各サブバンド、各ＲＩ、かつ各ＰＭＩ（ＢＣ−ＰＭＩ）について実行される。
【０１９２】
ステップＳ６０１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０１９３】
ステップＳ６０２において、ＵＥ１００−１は、ステップＳ６０１で計算した干渉レベルが閾値以下であるか否かを判定する。
【０１９４】
ステップＳ６０２で「ＹＥＳ」の場合、処理がステップＳ６０３に進む。ステップＳ６０３において、ＵＥ１００−１は、対象サブバンド、対象ＲＩ、対象ＰＭＩ（ＢＣ−ＰＭＩ）、及び干渉レベルの組み合わせを保持する。
【０１９５】
一方、ステップＳ６０２で「ＮＯ」の場合、処理がステップＳ６０４に進む。ステップＳ６０４において、ＵＥ１００−１は、対象ＰＭＩ（ＢＣ−ＰＭＩ）をヌル値に設定して、対象サブバンド、対象ＲＩ、対象ＰＭＩ（ＢＣ−ＰＭＩ）、及び干渉レベルの組み合わせを保持する。
【０１９６】
ステップＳ６０５の処理は、各サブバンドかつ各ＲＩについて実行される。
【０１９７】
ステップＳ６０５において、ＵＥ１００−１は、ステップＳ６０３及びＳ６０４で保持した組み合わせを、干渉レベルに基づいて昇順にソートする。
【０１９８】
ステップＳ６０６において、ＵＥ１００−１は、ステップＳ６０５でソートした組み合わせに基づいて、干渉レベルが低い方から所定数の組み合わせを選択してフィードバック情報に含める。
【０１９９】
（１．３．３．７）動作パターン７
動作パターン７では、ＵＥ１００−１は、干渉レベルが低い方から所定数（固定長）のＢＣ−ＰＭＩ及びＲＩの組み合わせを選択する。ＵＥ１００−１は、当該選択した組み合わせをフィードバック情報に含める。つまり、動作パターン７は、動作パターン３において閾値を用いて選択することに代えて所定数の組み合わせを選択するものである。
【０２００】
図２４は、動作パターン７で使用されるフィードバック情報の構成例を示す図である。図２４では、全帯域のフィードバックのケースを想定している。
【０２０１】
図２４に示すように、動作パターン７で使用されるフィードバック情報は、干渉レベルが低い方から所定数（固定長）のＢＣ−ＰＭＩ及びＲＩの組み合わせを含む。また、フィードバック情報に含める各組み合わせには、干渉レベルが低い方から順に優先順位（Ｐｒｉｏｒｉｔｙ）が設定されている。
【０２０２】
図２５は、動作パターン７におけるＵＥ１００−１の動作フロー図である。図２５では、サブバンド毎のフィードバックのケースを想定している。
【０２０３】
図２５に示すように、ステップＳ７０１及びＳ７０２の処理は、各サブバンド、各ＲＩ、かつ各ＰＭＩ（ＢＣ−ＰＭＩ）について実行される。
【０２０４】
ステップＳ７０１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０２０５】
ステップＳ７０２において、ＵＥ１００−１は、対象サブバンド、対象ＲＩ、対象ＰＭＩ（ＢＣ−ＰＭＩ）、及び干渉レベルの組み合わせを保持する。
【０２０６】
ステップＳ７０３の処理は、各サブバンドについて実行される。
【０２０７】
ステップＳ７０３において、ＵＥ１００−１は、ステップＳ７０２で保持した組み合わせを干渉レベルに基づいて昇順にソートする。
【０２０８】
ステップＳ７０４において、ＵＥ１００−１は、ステップＳ７０３でソートした情報（各組み合わせ）に基づいて、干渉レベルが低い方から所定数の組み合わせを選択してフィードバック情報に含める。
【０２０９】
（１．３．３．８）動作パターン８
動作パターン８では、ＵＥ１００−１は、干渉レベルが低い方から所定数（固定長）のＢＣ−ＰＭＩ及びＲＩの組み合わせを選択する。ただし、干渉レベルが閾値以上の組み合わせについてはＢＣ−ＰＭＩをヌル値に設定する。ＵＥ１００−１は、当該選択した組み合わせをフィードバック情報に含める。つまり、動作パターン８は、動作パターン７において、閾値以上のＢＣ−ＰＭＩをヌル値に設定するものである。
【０２１０】
図２６は、動作パターン８で使用されるフィードバック情報の構成例を示す図である。図２６では、全帯域のフィードバックのケースを想定している。
【０２１１】
図２６に示すように、動作パターン８で使用されるフィードバック情報は、干渉レベルが低い方から所定数（固定長）のＢＣ−ＰＭＩ及びＲＩの組み合わせを含む。ただし、干渉レベルが閾値以上の組み合わせについてはＢＣ−ＰＭＩがヌル値に設定される。また、フィードバック情報に含める各組み合わせには、干渉レベルが低い方から順に優先順位（Ｐｒｉｏｒｉｔｙ）が設定されている。
【０２１２】
図２７は、動作パターン８におけるＵＥ１００−１の動作フロー図である。図２７では、サブバンド毎のフィードバックのケースを想定している。
【０２１３】
図２７に示すように、ステップＳ８０１乃至Ｓ８０４の処理は、各サブバンド、各ＲＩ、かつ各ＰＭＩ（ＢＣ−ＰＭＩ）について実行される。
【０２１４】
ステップＳ８０１において、ＵＥ１００−１は、対象サブバンド及び対象ＲＩが適用される条件下における対象ＰＭＩ（ＢＣ−ＰＭＩ）の干渉量の２乗絶対値（干渉レベル）を計算する。
【０２１５】
ステップＳ８０２において、ＵＥ１００−１は、ステップＳ８０１で計算した干渉レベルが閾値以下であるか否かを判定する。
【０２１６】
ステップＳ８０２で「ＹＥＳ」の場合、処理がステップＳ８０３に進む。ステップＳ８０３において、ＵＥ１００−１は、対象サブバンド、対象ＲＩ、対象ＰＭＩ（ＢＣ−ＰＭＩ）、及び干渉レベルの組み合わせを保持する。
【０２１７】
一方、ステップＳ８０２で「ＮＯ」の場合、処理がステップＳ８０４に進む。ステップＳ８０４において、ＵＥ１００−１は、対象ＰＭＩ（ＢＣ−ＰＭＩ）をヌル値に設定して、対象サブバンド、対象ＲＩ、対象ＰＭＩ（ＢＣ−ＰＭＩ）、及び干渉レベルの組み合わせを保持する。
【０２１８】
ステップＳ８０５の処理は、各サブバンドについて実行される。
【０２１９】
ステップＳ８０５において、ＵＥ１００−１は、ステップＳ８０３及びＳ８０４で保持した組み合わせを、干渉レベルに基づいて昇順にソートする。
【０２２０】
ステップＳ８０６において、ＵＥ１００−１は、ステップＳ８０５でソートした組み合わせに基づいて、干渉レベルが低い方から所定数の組み合わせを選択してフィードバック情報に含める。
【０２２１】
（１．４）第１実施形態の第１変更例
上述した第１実施形態では、ＣｏＭＰ対象のＵＥ１００−１が対象周波数帯についてＢＣ−ＰＭＩ及びＲＩの複数の組み合わせをフィードバックするケースを説明した。
【０２２２】
しかしながら、ＣｏＭＰ対象のＵＥ１００−１に限らず、ＣｏＭＰ非対象のＵＥ１００−２が対象周波数帯についてＰＭＩ及びＲＩの複数の組み合わせをフィードバックしてもよい。例えば、ＵＥ１００−２は、好ましい方からｎ個（ｎ≧２）のＰＭＩ及びＲＩの組み合わせをフィードバックする。
【０２２３】
これにより、ＵＥ１００−１からのフィードバック情報（ＢＣ−ＰＭＩ及びＲＩの組み合わせ）と、ＵＥ１００−２からのフィードバック情報（ＰＭＩ及びＲＩの組み合わせ）と、が一致する確率を高めることができる。
【０２２４】
（１．５）第１実施形態の第２変更例
上述した第１実施形態では、ＣＢ−ＣｏＭＰにおいてＢＣ−ＰＭＩを使用するケースを説明した。しかしながら、ＢＣ−ＰＭＩに代えてＷＣ（Ｗｏｒｓｔ  Ｃｏｍｐａｎｉｏｎ）−ＰＭＩを使用してもよい。
【０２２５】
ＷＣ−ＰＭＩは、ＵＥ１００−１に与える干渉の影響が大きいプリコーダ行列（ＵＥ１００−１にビームが向くプリコーダ行列）を示す情報である。言い換えると、ＷＣ−ＰＭＩは、ＵＥ１００−１にとって好ましくないプリコーダ行列を示す情報である。
【０２２６】
本変更例では、ＵＥ１００−１は、ｅＮＢ２００−２がＵＥ１００−１に対して与える干渉の影響が大きいＰＭＩ（ＷＣ−ＰＭＩ）及びＲＩの複数の組み合わせを、ｅＮＢ２００−２に対するフィードバック情報に含める。本変更例において、ＷＣ−ＰＭＩはプリコーダ行列情報に相当する。ＷＣ−ＰＭＩ及びＲＩのフィードバックをサブバンド毎に行う設定の場合には、１つのサブバンドについてのフィードバック情報はＷＣ−ＰＭＩ及びＲＩの組み合わせを複数含む。
【０２２７】
ｅＮＢ２００−２は、ＵＥ１００−１からフィードバックされたＷＣ−ＰＭＩ及びＲＩの組み合わせの何れとも一致しないＰＭＩ及びＲＩを自セル内ＵＥ１００（例えばＵＥ１００−２）がフィードバックしている場合に、当該自セル内ＵＥ１００に対してＵＥ１００−１と同一の無線リソースを割り当てて、当該一致しないＰＭＩ及びＲＩを当該自セル内ＵＥ１００への送信に適用する。
【０２２８】
ＷＣ−ＰＭＩをフィードバックする場合、上述した動作パターン１乃至８においては、干渉レベルが低いＰＭＩを選択するのではなく、干渉レベルが高いＰＭＩを選択することになる。
【０２２９】
（２）第２実施形態
以下、第２実施形態について、第１実施形態との相違点を主として説明する。第２実施形態は、フィードバックに伴う演算量及びオーバーヘッドを削減するための実施形態である。
【０２３０】
（２．１）第２実施形態の概要
第２実施形態に係る移動通信システムは、下りリンクの送信指向性を定めるプリコーダ行列と下りリンクの信号系列数を定めるランクとを使用して下りリンク・マルチアンテナ伝送を行う基地局と、対象周波数帯についてのフィードバック情報を前記基地局にフィードバックするユーザ端末と、を有する。前記基地局は、該基地局における前記ランク及び／又は前記プリコーダ行列の使用状態を示す使用状態情報を、前記ユーザ端末に通知する。これにより、ユーザ端末は、基地局におけるランク及び／又はプリコーダ行列の使用状態を把握できるため、不要なフィードバックを行わないようにすることができる。
【０２３１】
前記フィードバック情報は、前記プリコーダ行列を示すプリコーダ行列情報と前記ランクを示すランク情報との組み合わせを含む。前記ユーザ端末は、前記使用状態情報に基づいて、前記基地局が使用中の前記ランク及び／又は前記プリコーダ行列に対応する前記組み合わせのみを、前記基地局へのフィードバックの対象とする。これにより、ユーザ端末は、フィードバックに伴う演算量及びオーバーヘッドを削減できる。
【０２３２】
前記プリコーダ行列情報は、前記ユーザ端末にとって好ましいプリコーダ行列を示す。前記基地局は、前記フィードバック情報に含まれる前記組み合わせと一致するフィードバック情報を通知する他のユーザ端末に対して、前記ユーザ端末と同一の無線リソースを割り当てて、前記一致するフィードバック情報に従って前記他のユーザ端末への送信を行う。
【０２３３】
或いは、前記プリコーダ行列情報は、前記ユーザ端末にとって好ましくないプリコーダ行列を示す。前記基地局は、前記フィードバック情報に含まれる前記組み合わせと一致しないフィードバック情報を通知する他のユーザ端末に対して、前記ユーザ端末と同一の無線リソースを割り当てて、前記一致しないフィードバック情報に従って前記他のユーザ端末への送信を行う。
【０２３４】
前記基地局は、予め規定された全てのランク及び／又は全てのプリコーダ行列を使用中である場合に、前記使用状態情報の通知を停止する。
【０２３５】
前記使用状態情報は、前記ユーザ端末の割当無線リソースに対応する無線リソースにおける前記ランク及び／又は前記プリコーダ行列の使用状態を示す。
【０２３６】
前記基地局は、ＣｏＭＰ通信を開始する際、前記ユーザ端末から前記フィードバック情報がフィードバックされた際、又は前記ユーザ端末の割当無線リソースを他の基地局から通知された際、の何れかのタイミングで、前記使用状態情報の通知を開始する。
【０２３７】
前記基地局は、ＣｏＭＰ通信を終了する際、又は前記ユーザ端末から前記フィードバック情報がフィードバックされなくなってから所定時間が経過した際、の何れかのタイミングで、前記使用状態情報の通知を終了する。
【０２３８】
第２実施形態に係る基地局は、下りリンクの送信指向性を定めるプリコーダ行列と下りリンクの信号系列数を定めるランクとを使用して下りリンク・マルチアンテナ伝送を行う。基地局は、該基地局における前記ランク及び／又は前記プリコーダ行列の使用状態を示す使用状態情報を、対象周波数帯についてのフィードバック情報をフィードバックするユーザ端末に通知する制御部を有する。
【０２３９】
第２実施形態に係るプロセッサは、下りリンクの送信指向性を定めるプリコーダ行列と下りリンクの信号系列数を定めるランクとを使用して下りリンク・マルチアンテナ伝送を行う基地局に備えられる。プロセッサは、前記基地局が、該基地局における前記ランク及び／又は前記プリコーダ行列の使用状態を示す使用状態情報を、対象周波数帯についてのフィードバック情報をフィードバックするユーザ端末に通知するための処理を行う。
【０２４０】
第２実施形態に係るユーザ端末は、下りリンクの送信指向性を定めるプリコーダ行列と下りリンクの信号系列数を定めるランクとを使用して下りリンク・マルチアンテナ伝送を行う基地局に対して、対象周波数帯についてのフィードバック情報をフィードバックする。ユーザ端末は、前記基地局から通知される使用状態情報を受信する受信部を有する。前記使用状態情報は、前記基地局における前記ランク及び／又は前記プリコーダ行列の使用状態を示す。
【０２４１】
第２実施形態に係るプロセッサは、下りリンクの送信指向性を定めるプリコーダ行列と下りリンクの信号系列数を定めるランクとを使用して下りリンク・マルチアンテナ伝送を行う基地局に対して、対象周波数帯についてのフィードバック情報をフィードバックするユーザ端末に備えられる。プロセッサは、前記ユーザ端末が、前記基地局から通知される使用状態情報を受信するための処理を行う。前記使用状態情報は、前記基地局における前記ランク及び／又は前記プリコーダ行列の使用状態を示す。
【０２４２】
（２．２）第２実施形態に係る動作
（２．２．１）動作概要
第２実施形態に係る動作環境は、図７及び図８と同様である。第２実施形態では、ｅＮＢ２００−２は、ｅＮＢ２００−２におけるランク及び／又はプリコーダ行列の使用状態を示す使用状態情報を、ＵＥ１００−１に通知する。ｅＮＢ２００−２は、ｅＮＢ２００−１を経由して使用状態情報をＵＥ１００−１に間接的に通知してもよく、ｅＮＢ２００−１を経由せずに使用状態情報をＵＥ１００−１に直接的に通知してもよい。また、使用状態情報は、使用中のランク及び／又はプリコーダ行列を示す情報であってもよく、使用していないランク及び／又はプリコーダ行列を示す情報であってもよい。
【０２４３】
ｅＮＢ２００−２は、予め規定された全てのランク及び／又は全てのプリコーダ行列を使用中である場合には、使用状態情報の通知を停止してもよい。
【０２４４】
ＵＥ１００−１は、ｅＮＢ２００−２からの使用状態情報に基づいて、ｅＮＢ２００−２が使用中のランク及び／又はプリコーダ行列に対応するＲＩ及び／又はＢＣ−ＰＭＩのみを、ｅＮＢ２００−２へのフィードバックの対象とする。
【０２４５】
ＵＥ１００−１は、第１実施形態では全てのＲＩ及び全てのＢＣ−ＰＭＩの組み合わせについて干渉レベルを計算していたが、第２実施形態ではｅＮＢ２００−２が使用中のランク及び／又はプリコーダ行列に対応するＲＩ（使用中ＲＩ）及び／又はＰＭＩ（使用中ＰＭＩ）の組み合わせのみについて干渉レベルを計算すればよい。
【０２４６】
具体的には、第１実施形態に係るＵＥ１００−１の動作パターン１乃至８において、全ＲＩについて行われていた処理を使用中ＲＩに限定することで、ＵＥ１００−１の演算量を削減できる。また、全ＰＭＩについて行われていた処理を使用中ＰＭＩに限定することで、ＵＥ１００−１の演算量を削減できる。
【０２４７】
ｅＮＢ２００−２は、ＵＥ１００−１からのフィードバック情報と一致するフィードバック情報をフィードバックするＵＥ１００−２に対して、ＵＥ１００−１と同一の無線リソースを割り当てて、当該一致するフィードバック情報に従ってＵＥ１００−２への送信を行う。
【０２４８】
（２．２．２）動作シーケンス
次に、第２実施形態に係る動作シーケンス１乃至３について説明する。
【０２４９】
（２．２．２．１）動作シーケンス１
図２８は、第２実施形態に係る動作シーケンス１のシーケンス図である。本シーケンスでは、使用状態情報は、ｅＮＢ２００−１が使用中のランクを示す使用中ランク情報（使用中ＲＩ）である。
【０２５０】
図２８に示すように、ステップＳ２１において、ｅＮＢ２００−１は、ＣｏＭＰ協力指示をｅＮＢ２００−２に送信する。
【０２５１】
ステップＳ２２において、ｅＮＢ２００−２は、ｅＮＢ２００−１からのＣｏＭＰ協力指示を受信した際、又は、ＵＥ１００−１からのフィードバック情報を最初に受信した際に、使用中ＲＩの通知を開始する。
【０２５２】
ステップＳ２３−１において、ｅＮＢ２００−２は、使用中ＲＩをｅＮＢ２００−１に送信する。ここで、ｅＮＢ２００−２は、全てのランク（ＲＩ）を使用している場合には、使用中ＲＩの通知を行わなくてもよい。或いは、ｅＮＢ２００−２は、全てのランク（ＲＩ）を使用している場合には、その旨を通知してもよい。
【０２５３】
ステップＳ２４−１において、ｅＮＢ２００−１は、ｅＮＢ２００−２から受信した使用中ＲＩをＵＥ１００−１に送信する。
【０２５４】
このように、本シーケンスでは、ｅＮＢ２００−２は、ｅＮＢ２００−１を経由して使用中ＲＩをＵＥ１００−１に間接的に通知する。
【０２５５】
ステップＳ２５−１において、ＵＥ１００−１は、ｅＮＢ２００−１から受信した使用中ＲＩに基づいて、ｅＮＢ２００−２が使用しているランク（ＲＩ）についてのみＢＣ−ＰＭＩを計算する。ここで、ＵＥ１００−１は、全てのＲＩについてＢＣ−ＰＭＩを計算するのではなく、使用中ＲＩについてのみＢＣ−ＰＭＩを計算すればよい。ただし、ＵＥ１００−１は、使用中ＲＩの通知が無い場合、又は、全てのランク（ＲＩ）を使用している旨を通知された場合には、全てのＲＩについてＢＣ−ＰＭＩを計算する。
【０２５６】
ステップＳ２６−１において、ＵＥ１００−１は、ＲＩ及びＢＣ−ＰＭＩの組み合わせをフィードバック情報としてｅＮＢ２００−１に送信する。
【０２５７】
ステップＳ２７−１において、ｅＮＢ２００−１は、ＵＥ１００−１から受信したフィードバック情報をｅＮＢ２００−２に送信する。
【０２５８】
このように、本シーケンスでは、ＵＥ１００−１は、ｅＮＢ２００−１を経由してフィードバック情報をｅＮＢ２００−２に間接的にフィードバックする。
【０２５９】
その後、ステップＳ２３−ｋ乃至Ｓ２７−ｋにおいて、ステップＳ２３−１乃至Ｓ２７−１と同様の手順が繰り返される。ここで、ｅＮＢ２００−２が使用中ＲＩを通知する頻度は、例えば、ＵＥ１００−１のＢＣ−ＰＭＩフィードバック頻度以下である。或いは、ｅＮＢ２００−２は、ＵＥ１００−１からのＢＣ−ＰＭＩが過多又は過小であると判断した際に使用中ＲＩを通知してもよい。
【０２６０】
ステップＳ２８において、ｅＮＢ２００−１は、ＣｏＭＰ関係解消指示をｅＮＢ２００−２に送信する。
【０２６１】
ステップＳ２９において、ｅＮＢ２００−２は、ｅＮＢ２００−１からのＣｏＭＰ関係解消指示を受信した際、又は、ＵＥ１００−１からのフィードバック情報を受信しなくなってからタイムアウト期間（所定時間）が経過した際に、使用中ＲＩの通知を終了する。タイムアウト期間は、例えば、ＵＥ１００−１のＢＣ−ＰＭＩフィードバック間隔以上（例えば１．５倍）である。
【０２６２】
（２．２．２．２）動作シーケンス２
図２９は、第２実施形態に係る動作シーケンス２のシーケンス図である。ここでは、動作シーケンス１との相違点を主として説明する。ＣｏＭＰ対象のＵＥ１００が複数存在する場合に、動作シーケンス１は当該複数のＵＥ１００に共通して適用されるが、動作シーケンス２は当該複数のＵＥ１００毎に個別に適用されることに留意すべきである。
【０２６３】
図２９に示すように、ステップＳ３１−１において、ｅＮＢ２００−１は、ＵＥ１００−１の割当リソースブロック（周波数帯）をｅＮＢ２００−２に通知する。
【０２６４】
ステップＳ３２−１において、ｅＮＢ２００−２は、ｅＮＢ２００−１からの割当リソースブロックの通知を受信した際に、使用中ＲＩの通知を開始する。
【０２６５】
ｅＮＢ２００−２は、動作シーケンス１では下りリンク周波数の全体で使用中のランクを使用中ＲＩとして通知していたが、動作シーケンス２ではＵＥ１００−１の割当リソースブロックに対応する周波数帯で使用中のランクのみを使用中ＲＩとして通知する。
【０２６６】
下りリンク周波数の全体では全てのランクが使用されている可能性が高いため、ＵＥ１００−１の割当リソースブロックに対応する周波数帯に限定することで、使用中ＲＩを効率的に通知できる。
【０２６７】
ステップＳ３３−１において、ｅＮＢ２００−１は、ｅＮＢ２００−２から受信した使用中ＲＩをＵＥ１００−１に送信する。
【０２６８】
ステップＳ３４−１において、ＵＥ１００−１は、ｅＮＢ２００−１から受信した使用中ＲＩに基づいて、ｅＮＢ２００−２が使用しているランク（ＲＩ）についてのみＢＣ−ＰＭＩを計算する。
【０２６９】
ステップＳ３５−１において、ＵＥ１００−１は、ＲＩ及びＢＣ−ＰＭＩの組み合わせをフィードバック情報としてｅＮＢ２００−１に送信する。
【０２７０】
ステップＳ３６−１において、ｅＮＢ２００−１は、ＵＥ１００−１から受信したフィードバック情報をｅＮＢ２００−２に送信する。
【０２７１】
その後、ステップＳ３１−ｋ乃至Ｓ３６−ｋにおいて、ステップＳ３３−１乃至Ｓ３６−１と同様の手順が繰り返される。ここで、ｅＮＢ２００−１は、ＵＥ１００−１の割当リソースブロックを変更する場合に、ＵＥ１００−１の割当リソースブロックをｅＮＢ２００−２に通知する。また、ｅＮＢ２００−２は、ｅＮＢ２００−１からの割当リソースブロックの通知を受信した際に、使用中ＲＩを通知する。
【０２７２】
ステップＳ３７において、ｅＮＢ２００−１は、ＣｏＭＰ関係解消指示をｅＮＢ２００−２に送信する。
【０２７３】
ステップＳ３８において、ｅＮＢ２００−２は、ｅＮＢ２００−１からのＣｏＭＰ関係解消指示を受信した際、又は、ＵＥ１００−１からのフィードバック情報を受信しなくなってからタイムアウト期間（所定時間）が経過した際に、使用中ＲＩの通知を終了する。
【０２７４】
（２．２．２．３）動作シーケンス３
図３０は、第２実施形態に係る動作シーケンス３のシーケンス図である。本シーケンスでは、使用状態情報は、ｅＮＢ２００−１が使用中のプリコーダ行列を示す使用中プリコーダ行列情報（使用中ＰＭＩ）である。
【０２７５】
図３０に示すように、ステップＳ４１において、ｅＮＢ２００−１は、ＣｏＭＰ協力指示をｅＮＢ２００−２に送信する。
【０２７６】
ステップＳ４２において、ｅＮＢ２００−２は、ｅＮＢ２００−１からのＣｏＭＰ協力指示を受信した際、又は、ＵＥ１００−１からのフィードバック情報を最初に受信した際に、使用中ＰＭＩの通知を開始する。
【０２７７】
ステップＳ４３−１において、ｅＮＢ２００−２は、使用中ＰＭＩをｅＮＢ２００−１に送信する。ここで、ｅＮＢ２００−２は、全てのプリコーダ行列（ＰＭＩ）を使用している場合には、使用中ＰＭＩの通知を行わなくてもよい。或いは、ｅＮＢ２００−２は、全てのプリコーダ行列（ＰＭＩ）を使用している場合には、その旨を通知してもよい。さらに、動作シーケンス２と同様に、ＵＥ１００−１の割当リソースブロックに対応する周波数帯で使用中のプリコーダ行列のみを使用中ＰＭＩとして通知してもよい。
【０２７８】
ステップＳ４４−１において、ｅＮＢ２００−１は、ｅＮＢ２００−２から受信した使用中ＰＭＩをＵＥ１００−１に送信する。
【０２７９】
このように、本シーケンスでは、ｅＮＢ２００−２は、ｅＮＢ２００−１を経由して使用中ＰＭＩをＵＥ１００−１に間接的に通知する。
【０２８０】
ステップＳ４５−１において、ＵＥ１００−１は、ｅＮＢ２００−１から受信した使用中ＰＭＩに基づいて、ｅＮＢ２００−２が使用しているプリコーダ行列（ＰＭＩ）についてのみＢＣ−ＰＭＩを計算する。ここで、ＵＥ１００−１は、使用中ＰＭＩについてのみＢＣ−ＰＭＩを計算すればよい。計算方法としては、例えば、対象サブバンド及び対象ＲＩが適用される条件下における対象ＰＭＩの干渉レベルを計算し、干渉が小さいものからプライオリティ情報を付加する。なお、計算方法の具体例については、第１実施形態で説明した計算方法を応用できる。
【０２８１】
ただし、ＵＥ１００−１は、使用中ＰＭＩの通知が無い場合、又は、全てのプリコーダ行列（ＰＭＩ）を使用している旨を通知された場合には、全てのＰＭＩについてＢＣ−ＰＭＩを計算する。
【０２８２】
ステップＳ４６−１において、ＵＥ１００−１は、ＲＩ及びＢＣ−ＰＭＩの組み合わせをフィードバック情報としてｅＮＢ２００−１に送信する。
【０２８３】
ステップＳ４７−１において、ｅＮＢ２００−１は、ＵＥ１００−１から受信したフィードバック情報をｅＮＢ２００−２に送信する。
【０２８４】
このように、本シーケンスでは、ＵＥ１００−１は、ｅＮＢ２００−１を経由してフィードバック情報をｅＮＢ２００−２に間接的にフィードバックする。
【０２８５】
その後、ステップＳ４３−ｋ乃至Ｓ４７−ｋにおいて、ステップＳ４３−１乃至Ｓ４７−１と同様の手順が繰り返される。ここで、ｅＮＢ２００−２が使用中ＰＭＩを通知する頻度は、例えば、ＵＥ１００−１のＢＣ−ＰＭＩフィードバック頻度以下である。或いは、ｅＮＢ２００−２は、ＵＥ１００−１からのＢＣ−ＰＭＩが過多又は過小であると判断した際に使用中ＰＭＩを通知してもよい。
【０２８６】
ステップＳ４８において、ｅＮＢ２００−１は、ＣｏＭＰ関係解消指示をｅＮＢ２００−２に送信する。
【０２８７】
ステップＳ４９において、ｅＮＢ２００−２は、ｅＮＢ２００−１からのＣｏＭＰ関係解消指示を受信した際、又は、ＵＥ１００−１からのフィードバック情報を受信しなくなってからタイムアウト期間（所定時間）が経過した際に、使用中ＰＭＩの通知を終了する。タイムアウト期間は、例えば、ＵＥ１００−１のＢＣ−ＰＭＩフィードバック間隔以上（例えば１．５倍）である。
【０２８８】
（３）第３実施形態
以下、第３実施形態について、第１実施形態及び第２実施形態との相違点を主として説明する。
【０２８９】
（３．１）第３実施形態の概要
第３実施形態に係る移動通信システムは、下りリンクの送信指向性を定めるプリコーダ行列を適用して下りリンク・マルチアンテナ伝送を行う。移動通信システムは、対象周波数帯についてのフィードバック情報として、複数のプリコーダ行列情報を基地局にフィードバックするユーザ端末を有する。前記ユーザ端末は、前記フィードバック情報として全てのプリコーダ行列情報を選択した場合に、前記全てのプリコーダ行列情報を前記基地局にフィードバックすることに代えて、前記全てのプリコーダ行列情報を示すインデックスを前記基地局にフィードバックする。これにより、全てのプリコーダ行列情報を基地局にフィードバックするのではなく、全てのプリコーダ行列情報を示すインデックスを基地局にフィードバックすればよいので、フィードバックすべき情報量を削減できる。
【０２９０】
第３実施形態に係るユーザ端末は、下りリンクの送信指向性を定めるプリコーダ行列を適用して下りリンク・マルチアンテナ伝送を行う移動通信システムにおいて用いられる。前記ユーザ端末は、対象周波数帯についてのフィードバック情報として、複数のプリコーダ行列情報を基地局にフィードバックする制御部を有する。前記制御部は、前記フィードバック情報として全てのプリコーダ行列情報を選択した場合に、前記全てのプリコーダ行列情報を前記基地局にフィードバックすることに代えて、前記全てのプリコーダ行列情報を示すインデックスを前記基地局にフィードバックする。
【０２９１】
第３実施形態に係るプロセッサは、下りリンクの送信指向性を定めるプリコーダ行列を適用して下りリンク・マルチアンテナ伝送を行う移動通信システムにおけるユーザ端末に備えられ、対象周波数帯についてのフィードバック情報として、複数のプリコーダ行列情報を基地局にフィードバックする。前記プロセッサは、前記フィードバック情報として全てのプリコーダ行列情報を選択した場合に、前記全てのプリコーダ行列情報を前記基地局にフィードバックすることに代えて、前記全てのプリコーダ行列情報を示すインデックスを前記基地局にフィードバックする。
【０２９２】
（３．２）第３実施形態に係る動作
（３．２．１）動作概要
本実施形態に係る動作環境は、図７及び図８と同様である。
【０２９３】
上述した第１実施形態及び第２実施形態では、ＵＥ１００−１（ＣｏＭＰ  ＵＥ）は、ＢＣ−ＰＭＩ及びＲＩの複数の組み合わせをｅＮＢ２００−２にフィードバックしていた。
【０２９４】
しかしながら、ＢＣ−ＰＭＩの選択方法によっては、ＵＥ１００−１が１つのＲＩについて全てのＢＣ−ＰＭＩを選択して、当該全てのＢＣ−ＰＭＩをｅＮＢ２００−２にフィードバックするケースが生じ得る。この場合、フィードバックすべき情報量（オーバーヘッド）が大きく、無線リソースを節約する観点から好ましくない。
【０２９５】
そこで、本実施形態では、ＵＥ１００−１は、１つのＲＩについて全てのＢＣ−ＰＭＩを選択した場合には、当該全てのＢＣ−ＰＭＩをｅＮＢ２００−２にフィードバックすることに代えて、当該全てのＢＣ−ＰＭＩを示すインデックスをｅＮＢ２００−２にフィードバックする。ｅＮＢ２００−２は、全てのＢＣ−ＰＭＩを示すインデックスを受信すると、ＵＥ１００−１において全てのＢＣ−ＰＭＩが選択されたと解釈する。その他の動作については第１実施形態及び第２実施形態と同様である。
【０２９６】
なお、本実施形態においても、第１実施形態の第２変更例と同様に、ＢＣ−ＰＭＩに代えてＷＣ−ＰＭＩを使用してもよい。
【０２９７】
（３．２．２）フィードバック情報
次に、図３１乃至図３３を用いて、本実施形態に係るフィードバック情報のメッセージ構成を第１実施形態及び第２実施形態と比較して説明する。なお、図３１乃至図３３では、下りリンク全帯域についてのフィードバックのケースを想定している。
【０２９８】
図３１は、第１実施形態及び第２実施形態に係るフィードバック情報のメッセージ構成例を示す図である。
【０２９９】
図３１に示すように、ＵＥ１００−１は、各ＲＩ（ＲＩ０乃至ＲＩｍ）について１又は複数のＢＣ−ＰＭＩ（ＰＭＩ）を選択する。ここでは、ＲＩ０について全てのＢＣ−ＰＭＩ（ＰＭＩ）が選択されたと仮定している。全てのＢＣ−ＰＭＩ（ＰＭＩ）の個数をｎとすると、ＲＩ０に対応するｎ個のＢＣ−ＰＭＩをフィードバックしなければならず、フィードバックすべき情報量が大きい。なお、各ＲＩには、ＢＣ−ＰＭＩの個数（データ長）を示すフィールドが付加されている。
【０３００】
図３２は、本実施形態に係るフィードバック情報のメッセージ構成例１を示す図である。
【０３０１】
図３２に示すように、ＵＥ１００−１は、１つのＲＩについて全てのＢＣ−ＰＭＩを選択した場合に、全てのＢＣ−ＰＭＩを示すインデックスをフィードバック情報に含める。ここでは、ＲＩ０について全てのＢＣ−ＰＭＩ（ＰＭＩ）を示すインデックスをフィードバック情報に含めている。ＲＩ０に対応するｎ個のＢＣ−ＰＭＩを１個のインデックスに置き換えることで、フィードバックすべき情報量を削減できる。
【０３０２】
図３３は、本実施形態に係るフィードバック情報のメッセージ構成例２を示す図である。
【０３０３】
図３３に示すように、メッセージ構成例２は、ＢＣ−ＰＭＩの個数（データ長）を示すフィールドに、全てのＢＣ−ＰＭＩを示すインデックスを含める点で、メッセージ構成例１とは異なる。ここでは、ＲＩ０についてのＢＣ−ＰＭＩの個数（データ長）を、全てのＢＣ−ＰＭＩ（ＰＭＩ）を示す「ｎ」としている。これにより、フィードバックすべき情報量をメッセージ構成例１よりも削減できる。
【０３０４】
（３．２．３）動作フロー
図３４は、本実施形態に係るＵＥ１００−１の動作フロー図である。
【０３０５】
図３４に示すように、ステップＳ１１０１乃至Ｓ１１０４の処理は、各ＲＩについて実行される。
【０３０６】
ステップＳ１１０１において、ＵＥ１００−１は、第１実施形態及び第２実施形態と同様の方法で、フィードバックすべきＢＣ−ＰＭＩを選択する。ここで選択されたＢＣ−ＰＭＩの数をＮｂｃｐｍｉ（ｒｉ）とする。
【０３０７】
ステップＳ１１０２において、ＵＥ１００−１は、Ｎｂｃｐｍｉ（ｒｉ）が、全てのＢＣ−ＰＭＩ（ＰＭＩ）の数であるＮｍａｘと等しいか否かを判定する。
【０３０８】
ステップＳ１１０２の結果が「ＮＯ」である場合、処理がステップＳ１１０３に進む。ステップＳ１１０３において、ＵＥ１００−１は、ステップＳ１１０１で選択したＢＣ−ＰＭＩをフィードバック情報（フィードバックメッセージ）に含める。
【０３０９】
一方、ステップＳ１１０２の結果が「ＹＥＳ」である場合、処理がステップＳ１１０４に進む。ステップＳ１１０４において、ＵＥ１００−１は、全てのＢＣ−ＰＭＩを示すインデックス（インジケータ）をフィードバック情報（フィードバックメッセージ）に含める。
【０３１０】
その後、ステップＳ１１０５において、ＵＥ１００−１は、ＲＩとＢＣ−ＰＭＩ（又は全てのＢＣ−ＰＭＩを示すインデックス）との組み合わせを含んだフィードバック情報を送信する。
【０３１１】
このように、本実施形態によれば、全てのＢＣ−ＰＭＩをｅＮＢ２００−２にフィードバックするのではなく、全てのＢＣ−ＰＭＩを示すインデックスをｅＮＢ２００−２にフィードバックすればよいので、フィードバックすべき情報量を削減できる。
【０３１２】
（４）第４実施形態
以下、第４実施形態について、第１実施形態乃至第３実施形態との相違点を主として説明する。
【０３１３】
（４．１）第４実施形態の概要
第４実施形態に係る移動通信システムは、下りリンクの送信指向性を定めるプリコーダ行列を適用して下りリンク・マルチアンテナ伝送を行う。前記移動通信システムは、対象周波数帯についてのフィードバック情報として、１又は複数のプリコーダ行列情報を基地局にフィードバックするユーザ端末を有する。前記基地局にフィードバックするプリコーダ行列情報の数は、前記基地局に接続するユーザ端末の数に応じて設定される。
【０３１４】
第４実施形態では、前記基地局に接続するユーザ端末の数が閾値以上である場合には、前記基地局に接続するユーザ端末の数が前記閾値未満である場合に比べて、前記基地局にフィードバックするプリコーダ行列情報の数を減らす。
【０３１５】
第４実施形態に係るユーザ端末は、下りリンクの送信指向性を定めるプリコーダ行列を適用して下りリンク・マルチアンテナ伝送を行う移動通信システムにおいて用いられる。前記ユーザ端末は、対象周波数帯についてのフィードバック情報として、１又は複数のプリコーダ行列情報を基地局にフィードバックする制御部を有する。前記基地局にフィードバックするプリコーダ行列情報の数は、前記基地局に接続するユーザ端末の数に応じて設定される。
【０３１６】
第４実施形態に係るプロセッサは、下りリンクの送信指向性を定めるプリコーダ行列を適用して下りリンク・マルチアンテナ伝送を行う移動通信システムにおけるユーザ端末に備えられ、対象周波数帯についてのフィードバック情報として、１又は複数のプリコーダ行列情報を基地局にフィードバックする。前記基地局にフィードバックするプリコーダ行列情報の数は、前記基地局に接続するユーザ端末の数に応じて設定される。
【０３１７】
（４．２）第４実施形態に係る動作
本実施形態に係る動作環境は、図７及び図８と同様である。
【０３１８】
上述した第１実施形態乃至第３実施形態では、ＵＥ１００−１（ＣｏＭＰ  ＵＥ）が、対象周波数帯についてＢＣ−ＰＭＩ及びＲＩの組み合わせをｅＮＢ２００−２に複数フィードバックすることで、ＵＥ１００−２がフィードバックするＰＭＩ及びＲＩの組み合わせと一致する確率（一致確率）を向上させていた。
【０３１９】
しかしながら、ＵＥ１００−２（すなわち、ｅＮＢ２００−２との接続を確立するＵＥ１００）の数が多い場合には、ＵＥ１００−１が対象周波数帯についてＢＣ−ＰＭＩ及びＲＩの組み合わせを複数フィードバックするのではなく、当該組み合わせを１つフィードバックしても、ある程度の一致確率を期待できる。
【０３２０】
そこで、本実施形態では、ｅＮＢ２００−２にフィードバックするＢＣ−ＰＭＩ及びＲＩの組み合わせの数を、ＵＥ１００−２の数に応じて設定する。ＰＭＩをフィードバックしないＵＥ１００−２が存在するケースを想定すると、当該組み合わせの数を、ＰＭＩをフィードバックするＵＥ１００−２の数に応じて設定してもよい。
【０３２１】
例えば、ｅＮＢ２００−２は、ＵＥ１００−２の数が閾値未満である場合に、ＢＣ−ＰＭＩ及びＲＩの組み合わせを複数フィードバックするようＵＥ１００−１に通知する。これに対し、ｅＮＢ２００−２は、ＵＥ１００−２の数が閾値以上である場合に、ＢＣ−ＰＭＩ及びＲＩの組み合わせを１つフィードバックするようＵＥ１００−１に通知する。
【０３２２】
ＵＥ１００−１は、当該通知に従って、ＢＣ−ＰＭＩ及びＲＩの組み合わせを複数フィードバックするか１つフィードバックするかを設定する。ＢＣ−ＰＭＩ及びＲＩの組み合わせを複数フィードバックする場合の動作は第１実施形態乃至第３実施形態と同様である。ＢＣ−ＰＭＩ及びＲＩの組み合わせを１つフィードバックする場合には、ＵＥ１００−１は、対象周波数帯についてのフィードバック情報として、１つのＢＣ−ＰＭＩ及び１つのＲＩをｅＮＢ２００−２にフィードバックする。
【０３２３】
或いは、ｅＮＢ２００−２は、ＵＥ１００−２の数をＵＥ１００−１に通知する。ＵＥ１００−１は、ＵＥ１００−２の数が閾値未満である場合に、ＢＣ−ＰＭＩ及びＲＩの組み合わせを複数フィードバックするよう設定する。これに対し、ＵＥ１００−１は、ＵＥ１００−２の数が閾値以上である場合に、ＢＣ−ＰＭＩ及びＲＩの組み合わせを１つフィードバックするよう設定する。
【０３２４】
このように、本実施形態によれば、ｅＮＢ２００−２との接続を確立するＵＥ１００−２の数に応じて、フィードバックの態様を適切に設定できる。
【０３２５】
なお、本実施形態においても、第１実施形態の第２変更例と同様に、ＢＣ−ＰＭＩに代えてＷＣ−ＰＭＩを使用してもよい。
【０３２６】
（５）第１実施形態乃至第４実施形態の変更例
上述した第１実施形態乃至第４実施形態では、ＣＢ−ＣｏＭＰにおいて、ＢＣ−ＰＭＩ（又はＷＣ−ＰＭＩ）とＲＩとの複数の組み合わせをフィードバックするケースについて説明した。しかしながら、本発明は、ＣＢ−ＣｏＭＰに限らず、ＭＵ（Ｍｕｌｔｉ  Ｕｓｅｒ）−ＭＩＭＯ（Ｍｕｌｔｉｐｌｅ  Ｉｎｐｕｔ  Ｍｕｌｔｉｐｌｅ  Ｏｕｔｐｕｔ）にも適用可能である。
【０３２７】
図３５及び図３６は、第１実施形態乃至第４実施形態の変更例に係る動作環境を示す図である。
【０３２８】
図３５に示すように、ＵＥ１００−１及びＵＥ１００−２は、ｅＮＢ２００のセルとの接続を確立している。すなわち、ＵＥ１００−１及びＵＥ１００−２は、ｅＮＢ２００のセルをサービングセルとして通信を行う。
【０３２９】
ｅＮＢ２００は、周波数利用効率を高めるために、ＭＵ−ＭＩＭＯを行う。具体的には、ｅＮＢ２００は、同一の無線リソースを用いてＵＥ１００−１及びＵＥ１００−２への送信を行う。
【０３３０】
ＵＥ１００−１は、ｅＮＢ２００に対する通常のフィードバック（ＰＭＩ、ＲＩ、及びＣＱＩ）に加えて、ＢＣ−ＰＭＩ及びＲＩの複数の組み合わせをｅＮＢ２００にフィードバックする。ＢＣ−ＰＭＩ及びＲＩのフィードバックについては、第１実施形態及び第２実施形態に係るフィードバック方法において、フィードバック先をサービングセル（ｅＮＢ２００）に変更すればよい。
【０３３１】
ｅＮＢ２００は、ＵＥ１００−１からフィードバックされたＢＣ−ＰＭＩ及びＲＩの組み合わせの何れかと一致するＰＭＩ及びＲＩをフィードバックするＵＥ１００−２に対して、ＵＥ１００−１と同一の無線リソースを割り当てる。そして、ｅＮＢ２００は、当該一致するＰＭＩ及びＲＩに従ってＵＥ１００−２への送信を行う。
【０３３２】
その結果、図３６に示すように、ｅＮＢ２００は、ＵＥ１００−１にヌルを向けつつ、ＵＥ１００−２にビームを向けて、ＵＥ１００−２への送信を行うことができる。また、ｅＮＢ２００は、ＵＥ１００−１からフィードバックされた通常のＰＭＩ及びＲＩに従ってＵＥ１００−１への送信を行う。その結果、ｅＮＢ２００は、ＵＥ１００−１にビームを向けることができる。
【０３３３】
なお、ＭＵ−ＭＩＭＯにおいても、ＢＣ−ＰＭＩに代えてＷＣ−ＰＭＩを使用することができる。この場合、ＵＥ１００−１は、ＷＣ−ＰＭＩ及びＲＩの複数の組み合わせをｅＮＢ２００にフィードバックする。
【０３３４】
また、ＵＥ１００−２は、ＰＭＩ及びＲＩの１つの組み合わせをｅＮＢ２００にフィードバックする場合に限らず、ＰＭＩ及びＲＩの複数の組み合わせをｅＮＢ２００にフィードバックしてもよい。
【０３３５】
（６）実施例
上述したように、3rd Generation Partnership Project (3GPP)にて仕様化が行なわれているLTE-Advancedでは、セル端ユーザのスループット改善を目的として基地局間協調制御(Coordinated Multi Point :CoMP)の検討が行なわれている。CoMPの方式の１つとして、主な干渉源となる基地局がCoMP端末に対して与える干渉の影響を小さくするよう送信プレコーダを調整する、協調ビームフォーミング型CoMP(Coordinated Beamforming CoMP :CB CoMP)が検討されており、CB CoMPに必要なCoMP端末からのChannel State Information (CSI)フィードバックとして従来Best Companion Precoding Matrix Indicator (BCI)が提案されている。しかし、干渉局でのスケジューリングにおいてCoMP端末よりフィードバックされたBCIが有効に利用できなかった場合、システムパフォーマンスが劣化してしまう。そこで、干渉局内でのスケジューリング自由度を向上させ、システムパフォーマンスを改善することを目的に、CoMP端末よりBCIを複数フィードバックする手法を提案する。また、本提案手法を用いた際のスループット特性について理論検証及びシステムレベルシミュレーションにより性能評価を行い、本提案手法の有効性を確認する。
【０３３６】
国内外の多くの移動体通信事業者が採用、あるいは採用を表明しているLong Term Evolution (LTE) の高度化システムであるLTE-Advancedの技術仕様が、3rd Generation Partnership Project (3GPP)においてRelease 10として規格化され、現在では更なる高度化を目指してRelease 11、Release12と継続して議論が行われている。LTE-Advancedの検討アイテムの１つとしてRelease 11においては、セル端ユーザのスループットの向上を目的に基地局間協調制御(Coordinated Multi Point :CoMP)の導入に向けた検討が行われている。CoMPでは地理的に離れた複数の基地局が協調して送信を行い、セル端ユーザの信号対干渉及び雑音電力比 (Signal to Interference and Noise Ratio :SINR)を改善することでスループットの向上が図られる。
【０３３７】
3GPPにおいてCoMPは基地局の協調方法によって複数の方式に分類されており、その１つに干渉局側がCoMPユーザ端末 (User Equipment :CoMP UE)に対してヌルを向けるよう動作するCoordinated Beamforming CoMP (CB CoMP)がある。時分割複信方式 (Time Division Duplex :TDD)方式であれば、上り信号からチャネル状態を推定し、伝搬路の可逆性を利用して送信プレコーダを算出することにより、比較的容易にCB CoMPを実現することが可能であるが、周波数分割複信方式 (Frequency Division Duplex :FDD)方式ではチャネル情報をUEからフィードバックしなければ所望の動作を行うことができない。
【０３３８】
CB CoMPを実現するためのフィードバック情報としてBest Companion Precoding Matrix Indicator (BCI) が提案されており、BCIは干渉局からCoMP UEに対して与える干渉の影響を最も小さくするPrecoding Matrix Indicator (PMI)である。
【０３３９】
図３７は、BCIを用いたCB-CoMPを説明するための図である。図３７に示すように、BCIを用いた際の基地局間協調動作としては、干渉局に接続されるUEのうちBCIと一致するPMIをレポートしているUEを、CoMP UEと同一のリソースに割り当てるという動作が考えられる。ここで、一致するPMIをレポートしているUEが干渉局内に存在しなかった場合、CoMP UEと同一リソースに対して、割当を行なわない (割当A)、一致していないPMIであっても割当を行なう (割当B)の２通りの動作が考えられる。前者の場合、CoMP UEに対しての干渉抑圧効果を保証することはできるものの、干渉局内で使用可能なリソースが減少することによりスループット低下を引き起こすという課題がある。一方後者の場合、干渉局側でのスループット低下は抑えられるものの、CoMP UEに対しての干渉抑圧効果は保証されないという課題がある。
【０３４０】
図３８は、提案手法（第１実施形態乃至第４実施形態に係る発明）を説明するための図である。図３８に示すように、前述の課題に対する解決策として、BCIを複数フィードバックする方式を提案する。すなわち、フィードバック候補であるPMIのセットのうちCoMP UEにとって好ましいものから所定数選択してフィードバックすることにより、BCIと干渉局内のUEからフィードバックされたPMIとが一致する機会を増加させる。
【０３４１】
これにより、前述の割当Aを用いた場合には干渉局側の利用リソースの減少によるスループット劣化を抑圧し、また前述の割当Bを用いた場合にはCoMP UEへの干渉の増加によるスループット劣化を抑圧することが可能となる。一方、フィードバック情報量が増大することとなるため、性能改善とのトレードオフを考慮する必要がある。
【０３４２】
前述した提案手法よる改善量について、理論計算を行うことで検討する。
【０３４３】
考慮されるPMI数をNPMI、1CoMP UE当り同時にフィードバックされるBCI数をNBCI、セル当りCoMP UE数をMC、セル当り非CoMP UE数をMI、セルのリソースブロック数をNRBとする。
【０３４４】
PMI、BCI共に複数選択肢の内から各インデックスが選択される確率が一様であると仮定すると、あるCoMP UEのBCIが隣接セルの非CoMP UEのPMIと一致する確率pは、
【数１】
2014061534.tif 000003
となる。これより、セル内の非CoMP UE数の変化に伴って確率pは図３９に示すグラフのように推移する。図３９は、非CoMP UE数変化によるCoMP UEのBCI一致確率（CoMP UE数MC=1）を示す。BCIを複数にすることで、非CoMP UEが少ない場合においても、比較的高い確率で、BCIとPMIとが一致する環境をつくりだすことが可能となる。また、セル内の非CoMP UE数が7以上の場合、BCI数2と3で効果の差が小さくなっている。ただし、BCI数1と2の差は、非CoMP UE数が10である場合においても14％程の差があるため、複数BCIフィードバックの効果はあると考えられる。  また、CoMP UE数MCのうちmだけBCIが一致する確率pmは、
【数２】
2014061534.tif 000004
となる。ここで、各セル一様にMCのCoMP UEとMIの非CoMP UEが存在すると仮定する。各UEが使用可能なリソースブロック数の期待値nRBは、セルリソースブロック数NRBをセル内のUE数で割った値であるので、
【数３】
2014061534.tif 000005
とする。以上の式より、前述した割当Aを用いた場合、セルにおける総リソースブロック使用量の期待値Eは、
【数４】
2014061534.tif 000006
となる。ここで、BCIとPMIのマッチングの際にCoMP UEのPMIは含まないことを仮定している。
【０３４５】
以上の式を用いて、2×2アンテナ構成のシステムとした場合のNPMI＝6、セル内UE数 (MC+MI)=20、NRB＝50とした場合の、BCI数、CoMP UE数の変動による、総割当リソースブロック数の期待値の推移グラフを図４０に示す。図４０のグラフより、割当リソースブロック数の期待値は、複数のBCIをフィードバックすることで増加することが見込まれる。また、セル内UEにおけるCoMP UE数の割合が多い程、その効果が大きくなる。BCI数に着目すると、セル内UEにおけるCoMP UE数が占める割合が大きい場合には、より多くのBCIをフィードバックすることで、割当リソースブロック数の増加が見込まれる。
【０３４６】
図４１のグラフはPMI数の変化による割当リソースブロック数の期待値である。セル当り総UE数は20、内CoMP UE数は4とした （セル内UEにおけるCoMP UE数割合が20％）。グラフより、PMI数が増加すると、BCI数が1つの場合は、割当リソースブロック数の減少が著しい。複数のBCIを用いることで、BCI数2の場合では一定してリソースブロック数2ほどの改善をもたらしている。PMI数が増加するにつれ、割当リソースブロック数の改善割合が大きくなっていくことがわかる。
【０３４７】
以上より、送受信アンテナ数が増加するにつれて、PMI数の自由度が増加することが考えられることから、本提案技術による改善効果がより顕著に現れることが考えられる。加えて、セル内UE数に対するCoMP UE数の割合が大きい場合により改善効果が見込まれることから、例えば小セルを多数配置する設置シナリオにおいて、より効果的であることが考えられる。
【０３４８】
以上に基づいてシミュレーションを行い、提案手法の効果を確認する。
【０３４９】
表１にセル、表２にUE、表３にシステムのシミュレーション諸元をそれぞれ示す。3GPPのRAN WG1 (Radio Access Network Working Group 1) において、システムレベルシミュレーションモデルが定義されており、定義された条件に従ってシステムレベルシミュレーションを行う。
【０３５０】
セル数は21、UE数は210、各セルに20のUEが配置されている。試行サブフレーム数は2000、ドロップ数は3とした。
【０３５１】
また、提案手法におけるBCIフィードバック数は2とし、リソース割当方法としては、前述した割当Aを用いた。  CoMP UEのリソースについては、動的リソース割当の基地局間共有を仮定しないため、セル内UE数に応じて予め決定された10サブフレーム分のリソース割当を、シミュレーションのドロップ内で繰り返し使用するものとしている。
【０３５２】
【表１】
2014061534.tif 000007
【０３５３】
【表２】
2014061534.tif 000008
【０３５４】
【表３】
2014061534.tif 000009
【０３５５】
提案手法による、BCIとPMIとの一致回数の増加効果について見て行く。表４にシミュレーション結果より得られた、BCI、PMI一致の回数を示す。 
【０３５６】
【表４】
2014061534.tif 000010
【０３５７】
表４の結果より、従来手法と比べ、提案手法の方の一致回数が約2倍に増加しており、提案手法による一致回数増加の効果があることが言える。
【０３５８】
また、このときの１セル、1サブフレーム当りの平均総リソースブロック使用数を比較したものを、表５に示す。
【０３５９】
【表５】
2014061534.tif 000011
【０３６０】
表５より、複数BCIを用いることで、セル当り2リソースブロック、割合にして4.35％の使用数が増加しており、BCI一致数の増加が実際のリソース割当数の増加に反映されている。
【０３６１】
前節で提案手法によるBCIとPMIとの一致回数増加は確認することができた。そこで次は、BCIとPMIとの一致回数の増加効果による、スループット改善効果について示す。表６にCoMP UEの平均ダウンリンクスループット、表７に非CoMP UE平均ダウンリンクスループット、表８に全UEでの平均ダウンリンクスループットの結果を示す。
【０３６２】
【表６】
2014061534.tif 000012
【０３６３】
【表７】
2014061534.tif 000013
【０３６４】
【表８】
2014061534.tif 000014
【０３６５】
表６の結果より、CoMP UEのスループット値は改善されておらず、従来手法より、7.7％ほどの劣化となっている。これは、フィードバックされた2つ目のBCI候補として、干渉抑圧効果の低いPMIが選択されてしまうことにより、干渉局からの送信ヌルが、CoMP UEに対して十分に向かず、CoMP UEへの干渉が増加したことと、BCIの一致確率の増加によって、隣接セルにおいてリソース割当が行われる頻度が増加したことにより、CoMP UEへの干渉が増加したことによる影響であると考えられる。
【０３６６】
一方、表７の結果より、提案手法を適用することによって、非CoMP UEのダウンリンクスループットの値が従来手法と比べて4.5％程度改善されている。BCIの一致確率の増加に伴って、割当リソースが増加したことによるものと考えられる。
【０３６７】
表８の結果より、全UEでの平均で見ると、提案手法により従来手法と比べて2％程度のスループットの改善が見られる。CoMP UEとそれ以外のUEとで、影響にばらつきはあるが、システム全体としてのスループットは改善されている。
【０３６８】
ここで、理論計算との比較を行う。本シミュレーションにおけるCoMP UE数はドロップ当り平均192個であり、各セル当りのCoMP UE数は約9となる。セル内UE数が20、CoMP UE数9の場合において、理論計算より割当リソースブロック期待値は、BCI数1の場合；46.97、BCI数2の場合；49.74となり、BCI数を1から2に増加さえることによる割当リソースブロックの改善効果は約5.9％となる。シミュレーション結果による全体のスループット改善は2％であるため、割当改善分だけの効果が得られていない。この差異の原因としては、まずCoMP UEへの干渉が増加したことによるCoMP UEのスループット低下が挙げられる。また、BCIフィードバック数を増加させたことによって増加した割当リソースに着目すると、本リソースに対する割当候補UEは、BCIが一致している非CoMP UEのみであるため、他のリソースと比較してユーザダイバシティの効果が小さくなっていることも考えられる。これらの原因によって、シミュレーション結果から得られたスループット改善量が理論値よりも小さくなったものと考えられる。これらの理論値からの劣化は、より最適なスケジューリングや基地局間協調制御を行うことで改善でき、理論値に近づけることができるものと考えられる。以上より、BCIとPMIとが一致した送信が増加することによるスループット改善効果が確認でき、提案手法によるスループット改善効果を確認することができた。
【０３６９】
[第５実施形態乃至第８実施形態の概要]
第５実施形態乃至第８実施形態に係る通信制御方法は、第１の基地局と、前記第１の基地局との接続を確立するユーザ端末と、前記第１の基地局と協調する第２の基地局と、を有し、下りリンク・マルチアンテナ伝送をサポートする移動通信システムにおいて用いられる。通信制御方法は、前記ユーザ端末が、前記下りリンク・マルチアンテナ伝送のためのプリコーダ行列及び／又はランクを示す伝送制御情報と、該伝送制御情報が適用された場合に推奨される変調・符号化方式を示すチャネル品質情報と、の組み合わせを複数決定した後、該決定した複数の組み合わせに含まれる複数の伝送制御情報を前記第２の基地局に通知するステップＡと、前記第２の基地局が、前記複数の伝送制御情報の中から何れかの伝送制御情報を選択した後、該選択した伝送制御情報に関連する所定情報を前記第１の基地局に通知するステップＢと、前記第１の基地局が、前記所定情報に基づいて、前記第２の基地局が選択した伝送制御情報に対応するチャネル品質情報を特定した後、該特定したチャネル品質情報を前記ユーザ端末のスケジューリングに使用するステップＣと、を含む。なお、以下において、「通知する」とは、通知元から通知先に直接的に通知する場合に限らず、通知元から所定の装置を経由して通知先に間接的に通知する場合も含む。
【０３７０】
このような通信制御方法によれば、第１の基地局は、第２の基地局が選択した伝送制御情報、すなわち、第２の基地局におけるプリコーダ行列及び／又はランクの使用状況が反映されたチャネル品質情報をユーザ端末のスケジューリングに使用できる。従って、ＣＢ−ＣｏＭＰを適切に実施できる。
【０３７１】
前記ステップＣは、前記特定したチャネル品質情報に加えて、又は前記特定したチャネル品質情報に代えて、前記第２の基地局が選択した前記伝送制御情報を前記ユーザ端末のスケジューリングに使用するステップを含んでもよい。
【０３７２】
第５実施形態において、前記ステップＡは、前記ユーザ端末が、前記複数の組み合わせを前記第１の基地局に送信するステップを含む。前記ステップＢは、前記第２の基地局が、前記選択した伝送制御情報を前記所定情報として前記第１の基地局に通知するステップを含む。前記ステップＣは、前記第１の基地局が、前記複数の組み合わせの中から、前記所定情報としての前記伝送制御情報に対応する前記チャネル品質情報を、前記ユーザ端末のスケジューリングに使用するステップを含む。
【０３７３】
第６実施形態において、前記ステップＡは、前記ユーザ端末が、前記複数の組み合わせを前記第２の基地局に通知するステップを含む。前記ステップＢは、前記第２の基地局が、前記複数の組み合わせの中から、前記選択した伝送制御情報に対応する前記チャネル品質情報を前記所定情報として前記第１の基地局に通知するステップを含む。前記ステップＣは、前記第１の基地局が、前記所定情報としての前記チャネル品質情報を前記ユーザ端末のスケジューリングに使用するステップを含む。
【０３７４】
第６実施形態において、前記ステップＡは、前記ユーザ端末が、前記第１の基地局からの受信信号の状態に基づき推奨される変調・符号化方式を示す通常のチャネル品質情報を前記第１の基地局に送信するステップをさらに含む。前記ステップＣは、前記第２の基地局からの前記所定情報の通知が無い場合に、前記第１の基地局が、前記通常のチャネル品質情報を前記ユーザ端末のスケジューリングに使用するステップをさらに含む。
【０３７５】
第７実施形態において、前記ステップＡは、前記ユーザ端末が、前記第１の基地局からの受信信号の状態に基づき推奨される変調・符号化方式を示す通常のチャネル品質情報を前記第１の基地局に送信するステップと、前記ユーザ端末が、前記複数の組み合わせに含まれる複数のチャネル品質情報毎に前記通常のチャネル品質情報との差分を示す差分情報を前記第２の基地局に通知するステップと、を含む。前記ステップＢは、前記第２の基地局が、前記複数の組み合わせの中から、前記選択した伝送制御情報に対応する前記差分情報を前記所定情報として前記第１の基地局に通知するステップを含む。前記ステップＣは、前記第１の基地局が、前記通常のチャネル品質情報と、前記所定情報としての前記差分情報と、から求められるチャネル品質情報を、前記ユーザ端末のスケジューリングに使用するステップを含む。
【０３７６】
第８実施形態において、前記ステップＡは、前記ユーザ端末が、前記複数の組み合わせのそれぞれに優先順位を設定した後、特定の優先順位に対応する特定のチャネル品質情報と、該特定のチャネル品質情報に対してチャネル品質情報が変化する前記組み合わせに設定された第１の優先順位と、を前記第１の基地局に送信するステップと、前記ユーザ端末が、前記複数の伝送制御情報のそれぞれを前記優先順位と対応付けて前記第２の基地局に通知するステップと、を含む。前記ステップＢは、前記第２の基地局が、前記選択した伝送制御情報に対応する第２の優先順位を前記所定情報として前記第１の基地局に通知するステップを含む。前記ステップＣは、前記第１の基地局が、前記特定のチャネル品質情報と、前記第１の優先順位と前記第２の優先順位との相対関係と、から求められるチャネル品質情報を、前記ユーザ端末のスケジューリングに使用するステップを含む。
【０３７７】
第５実施形態乃至第８実施形態に係るユーザ端末は、第１の基地局と、前記第１の基地局と協調する第２の基地局と、を有し、下りリンク・マルチアンテナ伝送をサポートする移動通信システムにおいて、前記第１の基地局との接続を確立する。ユーザ端末は、前記下りリンク・マルチアンテナ伝送のためのプリコーダ行列及び／又はランクを示す伝送制御情報と、該伝送制御情報が適用された場合に推奨される変調・符号化方式を示すチャネル品質情報と、の組み合わせを複数決定した後、該決定した複数の組み合わせに含まれる複数の伝送制御情報を前記第２の基地局に通知する制御部を有する。
【０３７８】
第５実施形態乃至第８実施形態に係るプロセッサは、第１の基地局と、前記第１の基地局と協調する第２の基地局と、を有し、下りリンク・マルチアンテナ伝送をサポートする移動通信システムにおいて、前記第１の基地局との接続を確立するユーザ端末に備えられる。プロセッサは、前記ユーザ端末が、前記下りリンク・マルチアンテナ伝送のためのプリコーダ行列及び／又はランクを示す伝送制御情報と、該伝送制御情報が適用された場合に推奨される変調・符号化方式を示すチャネル品質情報と、の組み合わせを複数決定した後、該決定した複数の組み合わせに含まれる複数の伝送制御情報を前記第２の基地局に通知するための処理を行う。
【０３７９】
第５実施形態乃至第８実施形態に係る基地局（第２の基地局）は、第１の基地局と、前記第１の基地局との接続を確立するユーザ端末と、を有し、下りリンク・マルチアンテナ伝送をサポートする移動通信システムにおいて、前記第１の基地局と協調する。基地局は、前記ユーザ端末から通知され、且つ前記下りリンク・マルチアンテナ伝送のためのプリコーダ行列及び／又はランクを示す複数の伝送制御情報の中から、何れかの伝送制御情報を選択した後、該選択した伝送制御情報に関連する所定情報を前記第１の基地局に通知する制御部を有する。
【０３８０】
第５実施形態乃至第８実施形態に係るプロセッサは、第１の基地局と、前記第１の基地局との接続を確立するユーザ端末と、を有し、下りリンク・マルチアンテナ伝送をサポートする移動通信システムにおいて、前記第１の基地局と協調する基地局（第２の基地局）に備えられる。プロセッサは、前記基地局が、前記ユーザ端末から通知され、且つ前記下りリンク・マルチアンテナ伝送のためのプリコーダ行列及び／又はランクを示す複数の伝送制御情報の中から、何れかの伝送制御情報を選択した後、該選択した伝送制御情報に関連する所定情報を前記第１の基地局に通知するための処理を行う。
【０３８１】
第５実施形態乃至第８実施形態に係る基地局（第１の基地局）は、下りリンク・マルチアンテナ伝送をサポートする移動通信システムにおいて、第２の基地局と協調し、且つ、ユーザ端末との接続を確立する。基地局は、前記第２の基地局が選択した伝送制御情報に関連する所定情報を前記第２の基地局から受信し、前記所定情報に基づいて、前記第２の基地局が選択した伝送制御情報に対応するチャネル品質情報を特定した後、該特定したチャネル品質情報を前記ユーザ端末のスケジューリングに使用する制御部を有する。
【０３８２】
第５実施形態乃至第８実施形態に係るプロセッサは、下りリンク・マルチアンテナ伝送をサポートする移動通信システムにおいて、第２の基地局と協調し、且つ、ユーザ端末との接続を確立する基地局（第１の基地局）に備えられる。プロセッサは、前記基地局が、前記第２の基地局が選択した伝送制御情報に関連する所定情報を前記第２の基地局から受信し、前記所定情報に基づいて、前記第２の基地局が選択した伝送制御情報に対応するチャネル品質情報を特定した後、該特定したチャネル品質情報を前記ユーザ端末のスケジューリングに使用するための処理を行う。
【０３８３】
［第５実施形態］
第５実施形態について、上述した第１実施形態との相違点を主として説明する。第５実施形態は、システム構成については第１実施形態と同様である。
【０３８４】
（第５実施形態に係る動作）
以下、本実施形態に係る動作について説明する。図４２及び図４３は、本実施形態に係る動作環境を示す図である。図４２及び図４３において、ｅＮＢ２００−１及びｅＮＢ２００−２は、互いに隣接するセルを構成する。
【０３８５】
図４２に示すように、ＵＥ１００−１は、ｅＮＢ２００−１のセルとの接続を確立している。すなわち、ＵＥ１００−１は、ｅＮＢ２００−１のセルをサービングセルとして通信を行う。
【０３８６】
本実施形態では、ＵＥ１００−１は、ｅＮＢ２００−１及びｅＮＢ２００−２のそれぞれのセルの境界領域に位置している。このような場合には、通常、ＵＥ１００−１は、ｅＮＢ２００−２のセルからの干渉の影響を受ける。
【０３８７】
ＵＥ１００−２は、ｅＮＢ２００−２のセルとの接続を確立している。すなわち、ＵＥ１００−２は、ｅＮＢ２００−２のセルをサービングセルとして通信を行う。
【０３８８】
ｅＮＢ２００−１及びｅＮＢ２００−２は、ｅＮＢ２００−１のセル端に位置するＵＥ１００−１のスループットを改善するために、ＣＢ−ＣｏＭＰを行う。ＣＢ−ＣｏＭＰにおいて、ＵＥ１００−１のサービングセルは「アンカーセル」と称される。
【０３８９】
また、ＣＢ−ＣｏＭＰにおいて、主な干渉源となるｅＮＢ２００−２は、ＵＥ１００−１に対して与える干渉の影響を小さくするように送信指向性を調整する。具体的には、ｅＮＢ２００−２は、ＵＥ１００−１にヌルを向けつつ、ＵＥ１００−２にビームを向けて、ＵＥ１００−２への送信を行う。
【０３９０】
ＣＢ−ＣｏＭＰの対象となるＵＥ１００−１は、ｅＮＢ２００−１に対する通常のフィードバック（ＰＭＩ、ＲＩ、及びＣＱＩ）に加えて、ｅＮＢ２００−２に対する特殊なフィードバックを行う。本実施形態では、ＵＥ１００−１は、ｅＮＢ２００−２に対して特殊なＰＭＩ及びＲＩをフィードバックする。
【０３９１】
通常のＰＭＩは、ＵＥ１００−１への下りリンク・マルチアンテナ伝送に適用されるプリコーダ行列を決定するために使用され、且つ、ＵＥ１００−１にとって好ましいプリコーダ行列（ＵＥ１００−１にビームが向くプリコーダ行列）を示す情報である。ＵＥ１００−１は、ｅＮＢ２００−１から受信する参照信号などに基づいて通常のＰＭＩのフィードバックを行う。
【０３９２】
これに対し、特殊なＰＭＩは、ＵＥ１００−１以外のＵＥ１００（例えばＵＥ１００−２）への下りリンク・マルチアンテナ伝送に適用されるプリコーダ行列を決定するために使用され、且つ、ＵＥ１００−１にとって好ましいプリコーダ行列（ＵＥ１００−１にヌルが向くプリコーダ行列）を示す情報である。このようなＰＭＩは、ＢＣ（Ｂｅｓｔ  Ｃｏｍｐａｎｉｏｎ）−ＰＭＩと称される。ＵＥ１００−１は、ｅＮＢ２００−２から受信する参照信号などに基づいてＢＣ−ＰＭＩのフィードバックを行う。
【０３９３】
本実施形態では、ｅＮＢ２００−２に対するフィードバック情報は、ｅＮＢ２００−２がＵＥ１００−１に対して与える干渉の影響が小さいＢＣ−ＰＭＩ及びＲＩの組み合わせを複数含む。ＢＣ−ＰＭＩ及びＲＩのフィードバックをサブバンド毎に行う設定の場合には、１つのサブバンドについてのフィードバック情報はＢＣ−ＰＭＩ及びＲＩの組み合わせを複数含む。
【０３９４】
例えば、当該干渉の影響が小さい方からｎ個（ｎ≧２）のＢＣ−ＰＭＩを含む組み合わせとしてもよく、当該干渉の影響が閾値未満のＢＣ−ＰＭＩを含む組み合わせとしてもよい。本実施形態において、ＢＣ−ＰＭＩ／ＲＩは、伝送制御情報に相当する。
【０３９５】
なお、ＵＥ１００−１は、ＢＣ−ＰＭＩ及びＲＩの組み合わせを、サービングセル（ｅＮＢ２００−１）経由でｅＮＢ２００−２にフィードバックしてもよく、ｅＮＢ２００−２に直接フィードバックしてもよい。
【０３９６】
例えば、ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内ＵＥ１００（例えばＵＥ１００−２）に対して、ＵＥ１００−１と同一の無線リソースを割り当てる。ここで、ｅＮＢ２００−２は、ＵＥ１００−１のスケジューリング情報を動的又は準静的にｅＮＢ２００−１と共有していることを前提とする。そして、ｅＮＢ２００−２は、当該一致するＰＭＩ及びＲＩに従ってＵＥ１００−２への送信を行う。
【０３９７】
その結果、図４３に示すように、ｅＮＢ２００−２は、ＵＥ１００−１にヌルを向けつつ、ＵＥ１００−２にビームを向けて、ＵＥ１００−２への送信を行うことができる。これにより、ＵＥ１００−１に対する干渉を抑圧できる。
【０３９８】
なお、ｅＮＢ２００−２は、ＵＥ１００−１からフィードバックされたＢＣ−ＰＭＩ及びＲＩの組み合わせの何れかと一致するＰＭＩ及びＲＩをフィードバックする自セル内ＵＥ１００が存在しない場合には、ＵＥ１００−１と同一の無線リソースへの割当を行わない、又は一致していないＰＭＩであっても割当を行う、の２通りの動作が考えられる。
【０３９９】
一方、ｅＮＢ２００−１は、ＵＥ１００−１からフィードバックされた通常のＰＭＩ及びＲＩに従ってＵＥ１００−１への送信を行う。その結果、ｅＮＢ２００−１は、ＵＥ１００−１にビームを向けることができる。
【０４００】
ただし、ｅＮＢ２００−１は、ｅＮＢ２００−２が選択したＢＣ−ＰＭＩ及びＲＩを把握していないため、ＵＥ１００−１のスケジューリング、具体的には、ＵＥ１００−１への送信に適用する変調・符号化方式（ＭＣＳ）及びランクの決定を適切に行うことができない。
【０４０１】
例えば、ｅＮＢ２００−２がＵＥ１００−１に良好にヌルを向ける場合において、ｅＮＢ２００−１は、ＵＥ１００−１からフィードバックされる通常のＣＱＩに従ってＭＣＳを決定すると、実環境に見合ったＭＣＳに比べて伝送速度の低いＭＣＳが決定されてしまうため、スループットを高めることができない。
【０４０２】
これとは逆に、ｅＮＢ２００−２がＵＥ１００−１にヌルを向けない場合において、ｅＮＢ２００−１は、ＵＥ１００−１からフィードバックされた通常のＣＱＩに従ってＭＣＳを決定すると、実環境に見合ったＭＣＳに比べて伝送速度の高いＭＣＳ（すなわち、エラー耐性の低いＭＣＳ）が決定されてしまうため、再送が頻発してスループットが低下する。
【０４０３】
このような事態を回避するためには、ｅＮＢ２００−１が、ｅＮＢ２００−２が選択したＢＣ−ＰＭＩ及びＲＩを推測して、ＵＥ１００−１のスケジューリングを行うことが考えられる。しかしながら、推測が外れた際には、ＵＥ１００−１との通信のエラー率が、ターゲットエラー率に対して大きく上下してしまい、効率の良いスケジューリングができない。
【０４０４】
そこで、本実施形態では、以下の動作により、ＣＢ−ＣｏＭＰを適切に実施可能とする。図４４は、本実施形態に係る動作シーケンス図である。図４４では、下りリンク全帯域でのフィードバックを想定しているが、サブバンド毎のフィードバックであってもよい。
【０４０５】
まず、本実施形態に係る動作シーケンスの概要を説明する。図４４に示すように、第１に、ＵＥ１００−１は、ＢＣ−ＰＭＩ／ＲＩと、該ＢＣ−ＰＭＩ／ＲＩが適用された場合に推奨されるＭＣＳを示すＣＱＩと、の組み合わせを複数決定した後、該決定した複数の組み合わせに含まれる複数のＢＣ−ＰＭＩ／ＲＩをｅＮＢ２００−２に通知する（ステップＳ１１０３乃至Ｓ１１０６）。本実施形態では、ＵＥ１００−１からｅＮＢ２００−１を経由して複数のＢＣ−ＰＭＩ／ＲＩがｅＮＢ２００−２に間接的に通知（フィードバック）される。
【０４０６】
第２に、ｅＮＢ２００−２は、複数のＢＣ−ＰＭＩ／ＲＩの中から何れかのＢＣ−ＰＭＩ／ＲＩを選択した後、該選択したＢＣ−ＰＭＩ／ＲＩをｅＮＢ２００−１に通知する（ステップＳ１１０７及びＳ１１０８）。
【０４０７】
第３に、ｅＮＢ２００−１は、ｅＮＢ２００−２が選択したＢＣ−ＰＭＩ／ＲＩに対応するＣＱＩを特定した後、該特定したＣＱＩをＵＥ１００−１のスケジューリングに使用する（ステップＳ１１０９）。なお、ｅＮＢ２００−１は、特定したＣＱＩに加えて、又は特定したＣＱＩに代えて、ｅＮＢ２００−２が選択したＢＣ−ＰＭＩ／ＲＩをＵＥ１００−１のスケジューリングに使用してもよい。
【０４０８】
次に、本実施形態に係る動作シーケンスの詳細を説明する。
【０４０９】
図４４に示すように、ステップＳ１１０１及びＳ１１０２において、ＵＥ１００−１は、ｅＮＢ２００−１及びｅＮＢ２００−２のそれぞれから参照信号を受信する。参照信号は、ＣＲＳ又はＣＳＩ−ＲＳである。
【０４１０】
ステップＳ１１０３において、ＵＥ１００−１は、下りリンク・マルチアンテナ伝送に適用し得る複数のランクに対応する複数のＲＩのそれぞれについて、下りリンク・マルチアンテナ伝送に適用し得る複数のプリコーダ行列に対応する複数のＢＣ−ＰＭＩのそれぞれの評価値を計算する。ＢＣ−ＰＭＩの評価値とは、例えば、当該ＢＣ−ＰＭＩを適用した場合に想定される干渉量である。そして、ＵＥ１００−１は、評価値に基づいて複数のＢＣ−ＰＭＩ及びそれに対応するＲＩのペア｛ＲＩ、ＢＣ−ＰＭＩ｝を選択する。
【０４１１】
ステップＳ１１０４において、ＵＥ１００−１は、ステップＳ１１０３で選択したペア｛ＲＩ、ＢＣ−ＰＭＩ｝毎に、当該ＲＩ及び／又はＢＣ−ＰＭＩを適用した場合の推奨ＭＣＳを示すＣＱＩを選択する。例えば、ステップＳ１１０３で計算した評価値（干渉量）に基づいて推奨ＭＣＳを定めることができる。
【０４１２】
ステップＳ１１０５において、ＵＥ１００−１は、ステップＳ１１０３で選択したペア｛ＲＩ、ＢＣ−ＰＭＩ｝とステップＳ１１０４で選択したＣＱＩとの複数の組み合わせ｛ＲＩ、ＢＣ−ＰＭＩ、ＣＱＩ｝…をｅＮＢ２００−１に通知する。
【０４１３】
ｅＮＢ２００−１は、ステップＳ１１０５でＵＥ１００−１から受信した複数の組み合わせ｛ＲＩ、ＢＣ−ＰＭＩ、ＣＱＩ｝…を保持する。
【０４１４】
ステップＳ１１０６において、ｅＮＢ２００−１は、ステップＳ１１０５でＵＥ１００−１から受信した複数の組み合わせ｛ＲＩ、ＢＣ−ＰＭＩ、ＣＱＩ｝…に含まれる複数のペア｛ＲＩ、ＢＣ−ＰＭＩ｝…をｅＮＢ２００−２に通知する。当該通知は、例えばＸ２インターフェイス上で行われる。
【０４１５】
ステップＳ１１０７において、ｅＮＢ２００−２は、ステップＳ１１０６でｅＮＢ２００−１から受信した複数のペア｛ＲＩ、ＢＣ−ＰＭＩ｝…の中から何れかのペア｛ＲＩ、ＢＣ−ＰＭＩ｝を選択する。例えば、ｅＮＢ２００−２は、複数のペア｛ＲＩ、ＢＣ−ＰＭＩ｝…の何れかと一致するペア｛ＲＩ、ＰＭＩ｝をフィードバックする自セル内ＵＥ１００（例えばＵＥ１００−２）が存在する場合に、当該一致するペア｛ＲＩ、ＢＣ−ＰＭＩ｝を選択する。
【０４１６】
ステップＳ１１０８において、ｅＮＢ２００−２は、ステップＳ１１０７で選択したペア｛ＲＩ、ＢＣ−ＰＭＩ｝をｅＮＢ２００−１に通知する。当該通知は、例えばＸ２インターフェイス上で行われる。ただし、選択したペア｛ＲＩ、ＢＣ−ＰＭＩ｝を通知する場合に限らず、片方（例えばＲＩ）のみを通知してもよく、選択したペア｛ＲＩ、ＢＣ−ＰＭＩ｝のインデックスを通知してもよい。さらに、ｅＮＢ２００−２は、選択したペア｛ＲＩ、ＢＣ−ＰＭＩ｝が適用される周波数帯（リソースブロック）を示す情報、及び／又は、選択したペア｛ＲＩ、ＢＣ−ＰＭＩ｝が適用される時間（サブフレームなど）を示す情報を付加情報としてｅＮＢ２００−１に通知してもよい。
【０４１７】
ステップＳ１１０９において、ｅＮＢ２００−１は、保持している複数の組み合わせ｛ＲＩ、ＢＣ−ＰＭＩ、ＣＱＩ｝…の中から、ｅＮＢ２００−２から通知されたペア｛ＲＩ、ＢＣ−ＰＭＩ｝に対応するＣＱＩを特定し、該特定したＣＱＩをＵＥ１００−１のスケジューリングに使用する。例えば、ｅＮＢ２００−１は、特定したＣＱＩに基づいて、ＵＥ１００−１への送信に適用するＭＣＳ及びランクを決定する。また、ｅＮＢ２００−１は、ｅＮＢ２００−１から通知された付加情報に基づいて、ＵＥ１００−１に割り当てる無線リソース（時間・周波数リソース）を決定してもよい。
【０４１８】
ステップＳ１１１０において、ｅＮＢ２００−１は、ステップＳ１１０９で決定されたＭＣＳ、ＲＩ、及び無線リソースなどを示す情報をＵＥ１００−１に通知する。
【０４１９】
ステップＳ１１１１において、ｅＮＢ２００−１は、ステップＳ１１０９で決定されたＭＣＳ、ＲＩ、及び無線リソースなどに従って、ＵＥ１００−１への送信を行う。
【０４２０】
ステップＳ１１１２において、ｅＮＢ２００−２は、ステップＳ１１０７で決定された｛ＲＩ、ＢＣ−ＰＭＩ｝などに従って、ＵＥ１００−２への送信を行う。なお、ＵＥ１００−１に対してヌルが向いていない場合には、ＵＥ１００−１はｅＮＢ２００−２からの干渉の影響を受ける。
【０４２１】
このように、ｅＮＢ２００−１は、ｅＮＢ２００−２が選択したＢＣ−ＰＭＩ／ＲＩ、すなわち、ｅＮＢ２００−２におけるプリコーダ行列／ランクの使用状況が反映されたＣＱＩをＵＥ１００−１のスケジューリングに使用できる。従って、ｅＮＢ２００−２がＵＥ１００−１に良好にヌルを向ける場合、及びｅＮＢ２００−２がＵＥ１００−１にヌルを向けない場合の何れにおいても、実環境に見合ったＭＣＳが適用されるため、ターゲットエラー率での通信を実現できる。
【０４２２】
［第６実施形態］
以下、第６実施形態について、第５実施形態との相違点を説明する。
【０４２３】
上述した第５実施形態では、複数のペア｛ＲＩ、ＢＣ−ＰＭＩ｝…をｅＮＢ２００−２に通知していた。これに対し、第６実施形態では、当該複数のペア｛ＲＩ、ＢＣ−ＰＭＩ｝…を含む複数の組み合わせ｛ＲＩ、ＢＣ−ＰＭＩ、ＣＱＩ｝…をｅＮＢ２００−２に通知する。
【０４２４】
また、上述した第５実施形態では、ｅＮＢ２００−２は、選択したペア｛ＲＩ、ＢＣ−ＰＭＩ｝をｅＮＢ２００−１に通知していた。これに対し、第６実施形態では、ｅＮＢ２００−２は、選択したペア｛ＲＩ、ＢＣ−ＰＭＩ｝に対応するＣＱＩをｅＮＢ２００−１に通知する。
【０４２５】
さらに、上述した第５実施形態では、ｅＮＢ２００−１は、ｅＮＢ２００−２から通知されたペア｛ＲＩ、ＢＣ−ＰＭＩ｝に対応するＣＱＩをスケジューリングに使用していた。これに対し、第６実施形態では、ｅＮＢ２００−１は、ｅＮＢ２００−２から通知されたＣＱＩをスケジューリングに使用する。
【０４２６】
図４５は、本実施形態に係る動作シーケンスを説明するための図である。
【０４２７】
図４５に示すように、ステップＳ１２０１において、ＵＥ１００−１は、通常のＣＱＩ（以下、「ＣＱＩｔ」）をｅＮＢ２００−１にフィードバックする。ＣＱＩｔは、ｅＮＢ２００−１からの受信信号の状態に基づき推奨されるＭＣＳを示す情報である。ＣＱＩｔは、ＰＭＩ／ＲＩを考慮せずに選択される。
【０４２８】
ステップＳ１２０２において、ＵＥ１００−１は、複数の組み合わせ｛ＲＩ、ＢＣ−ＰＭＩ、ＣＱＩ｝…をｅＮＢ２００−２に通知する。複数の組み合わせ｛ＲＩ、ＢＣ−ＰＭＩ、ＣＱＩ｝…の生成方法は、第５実施形態のステップＳ１１０１乃至Ｓ１１０４と同様である。
【０４２９】
なお、ＵＥ１００−１は、複数の組み合わせ｛ＲＩ、ＢＣ−ＰＭＩ、ＣＱＩ｝…をｅＮＢ２００−２に直接的に通知する場合に限らず、ｅＮＢ２００−１を経由して複数の組み合わせ｛ＲＩ、ＢＣ−ＰＭＩ、ＣＱＩ｝…をｅＮＢ２００−２に間接的に通知してもよい。
【０４３０】
ステップＳ１２０３において、ｅＮＢ２００−２は、複数の組み合わせ｛ＲＩ、ＢＣ−ＰＭＩ、ＣＱＩ｝…の中から、何れかのペア｛ＲＩ、ＢＣ−ＰＭＩ｝を選択する。何れかのペア｛ＲＩ、ＢＣ−ＰＭＩ｝の選択方法は、第５実施形態のステップＳ１１０７と同様である。そして、ｅＮＢ２００−２は、選択したペア｛ＲＩ、ＢＣ−ＰＭＩ｝に対応するＣＱＩをｅＮＢ２００−１に通知する。ここで、第５実施形態と同様の付加情報（リソースブロック情報など）をＣＱＩと共にｅＮＢ２００−１に通知してもよい。
【０４３１】
ステップＳ１２０４において、ｅＮＢ２００−１は、ｅＮＢ２００−２から通知されたＣＱＩをＵＥ１００−１のスケジューリングに使用する。スケジューリングの方法は第５実施形態のステップＳ１１０９と同様である。ただし、ｅＮＢ２００−１は、ｅＮＢ２００−２からのＣＱＩの通知が無い場合には、ＣＱＩｔをＵＥ１００−１のスケジューリングに使用する。
【０４３２】
このように、ｅＮＢ２００−１は、ｅＮＢ２００−２が選択したＢＣ−ＰＭＩ／ＲＩ、すなわち、ｅＮＢ２００−２におけるプリコーダ行列／ランクの使用状況が反映されたＣＱＩをＵＥ１００−１のスケジューリングに使用できる。従って、実環境に見合ったＭＣＳが適用されるため、ターゲットエラー率での通信を実現できる。
【０４３３】
［第７実施形態］
以下、第７実施形態について、第５実施形態との相違点を説明する。
【０４３４】
上述した第５実施形態では、複数のペア｛ＲＩ、ＢＣ−ＰＭＩ｝…をｅＮＢ２００−２に通知していた。これに対し、第７実施形態では、｛ＲＩ、ＢＣ−ＰＭＩ｝のペアと当該ペアに対応するΔＣＱＩ（差分情報）との複数の組み合わせ｛ＲＩ、ＢＣ−ＰＭＩ、ΔＣＱＩ｝…をｅＮＢ２００−２に通知する。ΔＣＱＩの詳細については後述する。
【０４３５】
また、上述した第５実施形態では、ｅＮＢ２００−２は、選択したペア｛ＲＩ、ＢＣ−ＰＭＩ｝をｅＮＢ２００−１に通知していた。これに対し、第７実施形態では、ｅＮＢ２００−２は、選択したペア｛ＲＩ、ＢＣ−ＰＭＩ｝に対応するΔＣＱＩをｅＮＢ２００−１に通知する。
【０４３６】
さらに、上述した第５実施形態では、ｅＮＢ２００−１は、ｅＮＢ２００−２から通知されたペア｛ＲＩ、ＢＣ−ＰＭＩ｝に対応するＣＱＩをスケジューリングに使用していた。これに対し、第７実施形態では、ｅＮＢ２００−１は、ＣＱＩｔと、ｅＮＢ２００−２から通知されたΔＣＱＩと、から求められるＣＱＩをスケジューリングに使用する。
【０４３７】
図４６は、本実施形態に係る動作シーケンスを説明するための図である。
【０４３８】
図４６に示すように、ステップＳ１３０１において、ＵＥ１００−１は、ＣＱＩｔをｅＮＢ２００−１にフィードバックする。
【０４３９】
ステップＳ１３０２において、ＵＥ１００−１は、｛ＲＩ、ＢＣ−ＰＭＩ｝のペアと、当該ペアに対応するＣＱＩとＣＱＩｔとの差分を示すΔＣＱＩと、の組み合わせを複数生成する。すなわち、ＵＥ１００−１は、第５実施形態で説明した組み合わせ｛ＲＩ、ＢＣ−ＰＭＩ、ＣＱＩ｝…に含まれるＣＱＩに代えて、該ＣＱＩとＣＱＩｔとの差分を示すΔＣＱＩを使用する。そして、ＵＥ１００−１は、複数の組み合わせ｛ＲＩ、ＢＣ−ＰＭＩ、ΔＣＱＩ｝…をｅＮＢ２００−２に通知する。
【０４４０】
なお、ＵＥ１００−１は、複数の組み合わせ｛ＲＩ、ＢＣ−ＰＭＩ、ΔＣＱＩ｝…をｅＮＢ２００−２に直接的に通知する場合に限らず、ｅＮＢ２００−１を経由して複数の組み合わせ｛ＲＩ、ＢＣ−ＰＭＩ、ΔＣＱＩ｝…をｅＮＢ２００−２に間接的に通知してもよい。
【０４４１】
ステップＳ１３０３において、ｅＮＢ２００−２は、複数の組み合わせ｛ＲＩ、ＢＣ−ＰＭＩ、ΔＣＱＩ｝…の中から、何れかのペア｛ＲＩ、ＢＣ−ＰＭＩ｝を選択する。何れかのペア｛ＲＩ、ＢＣ−ＰＭＩ｝の選択方法は、第５実施形態のステップＳ１１０７と同様である。そして、ｅＮＢ２００−２は、選択したペア｛ＲＩ、ＢＣ−ＰＭＩ｝に対応するΔＣＱＩをｅＮＢ２００−１に通知する。ここで、第５実施形態と同様の付加情報（リソースブロック情報など）をΔＣＱＩと共にｅＮＢ２００−１に通知してもよい。
【０４４２】
ステップＳ１３０４において、ｅＮＢ２００−１は、ＣＱＩｔと、ｅＮＢ２００−２から通知されたΔＣＱＩと、から求められるＣＱＩをＵＥ１００−１のスケジューリングに使用する。例えば、ＣＱＩｔからΔＣＱＩを減じて得た値を、スケジューリングに使用するＣＱＩとして求める。スケジューリングの方法は第５実施形態のステップＳ１１０９と同様である。
【０４４３】
このように、ｅＮＢ２００−１は、ｅＮＢ２００−２が選択したＢＣ−ＰＭＩ／ＲＩ、すなわち、ｅＮＢ２００−２におけるプリコーダ行列／ランクの使用状況が反映されたＣＱＩをＵＥ１００−１のスケジューリングに使用できる。従って、実環境に見合ったＭＣＳが適用されるため、ターゲットエラー率での通信を実現できる。
【０４４４】
［第８実施形態］
以下、第８実施形態について、第５実施形態との相違点を説明する。
【０４４５】
上述した第５実施形態では、複数のペア｛ＲＩ、ＢＣ−ＰＭＩ｝…をｅＮＢ２００−２に通知していた。これに対し、第８実施形態では、複数のペア｛ＲＩ、ＢＣ−ＰＭＩ｝…を優先順位と対応付けてｅＮＢ２００−２に通知する。また、ＵＥ１００−１は、最高優先順位（特定の優先順位）に対応するＣＱＩ０（特定のチャネル品質情報）と、ＣＱＩ０に対してＱＱＩが変化するペア｛ＲＩ、ＢＣ−ＰＭＩ｝に設定された優先順位（第１の優先順位）と、をｅＮＢ２００−１に通知する。
【０４４６】
図４７は、本実施形態に係るＵＥ１００−１の動作を説明するための図である。
【０４４７】
図４７に示すように、ＵＥ１００−１は、評価値が高い順に複数のペア｛ＲＩ、ＢＣ−ＰＭＩ｝…に対して優先順位（Ｐｒｉｏｒｉｔｙ）を設定する。また、複数のペア｛ＲＩ、ＢＣ−ＰＭＩ｝…毎に、当該ペアが適用された場合に推奨されるＣＱＩを選択する。
【０４４８】
最高優先順位（Ｐｒｉｏｒｉｔｙ  ０）から４番目の優先順位（Ｐｒｉｏｒｉｔｙ  ３）まではＣＱＩは同じ値（ＣＱＩ０）であるが、５番目の優先順位（Ｐｒｉｏｒｉｔｙ  ４）からＣＱＩが変化し、７番目の優先順位（Ｐｒｉｏｒｉｔｙ  ６）からＣＱＩがさらに変化している。この場合、ＵＥ１００−１は、最高優先順位（Ｐｒｉｏｒｉｔｙ  ０）に対応するＣＱＩ０と、優先順位が変化する際の優先順位（Ｐｒｉｏｒｉｔｙ  ４、及びＰｒｉｏｒｉｔｙ  ６）と、をｅＮＢ２００−１に通知する。
【０４４９】
また、上述した第５実施形態では、ｅＮＢ２００−２は、選択したペア｛ＲＩ、ＢＣ−ＰＭＩ｝をｅＮＢ２００−１に通知していた。これに対し、第８実施形態では、ｅＮＢ２００−２は、選択したＲＩ／ＢＣ−ＰＭＩに対応する優先順位（第２の優先順位）をｅＮＢ２００−１に通知する。
【０４５０】
さらに、上述した第５実施形態では、ｅＮＢ２００−１は、ｅＮＢ２００−２から通知されたペア｛ＲＩ、ＢＣ−ＰＭＩ｝に対応するＣＱＩをスケジューリングに使用していた。これに対し、第８実施形態では、ｅＮＢ２００−１は、ＣＱＩ０と、第１の優先順位（Ｐｒｉｏｒｉｔｙ  ４、及びＰｒｉｏｒｉｔｙ  ６）及び第２の優先順位との相対関係と、から求められるＣＱＩを、ＵＥ１００−１のスケジューリングに使用する。
【０４５１】
図４８は、本実施形態に係る動作シーケンスを説明するための図である。
【０４５２】
図４８に示すように、ステップＳ１４０１において、ＵＥ１００−１は、ＣＱＩ０（特定のチャネル品質情報）と、ＣＱＩ０に対してＱＱＩが変化するペア｛ＲＩ、ＢＣ−ＰＭＩ｝に設定された優先順位（Ｐｒｉｏｒｉｔｙ  ４、及びＰｒｉｏｒｉｔｙ  ６）と、をｅＮＢ２００−１に通知する。
【０４５３】
ステップＳ１４０２において、ＵＥ１００−１は、複数のペア｛ＲＩ、ＢＣ−ＰＭＩ｝…を優先順位と対応付けてｅＮＢ２００−２に通知する。
【０４５４】
なお、ＵＥ１００−１は、複数のペア｛ＲＩ、ＢＣ−ＰＭＩ｝…をｅＮＢ２００−２に直接的に通知する場合に限らず、ｅＮＢ２００−１を経由して複数のペア｛ＲＩ、ＢＣ−ＰＭＩ｝…をｅＮＢ２００−２に間接的に通知してもよい。
【０４５５】
ステップＳ１４０３において、ｅＮＢ２００−２は、複数のペア｛ＲＩ、ＢＣ−ＰＭＩ｝…の中から、何れかのペア｛ＲＩ、ＢＣ−ＰＭＩ｝を選択する。何れかのペア｛ＲＩ、ＢＣ−ＰＭＩ｝の選択方法は、第５実施形態のステップＳ１１０７と同様である。そして、ｅＮＢ２００−２は、選択したペア｛ＲＩ、ＢＣ−ＰＭＩ｝に対応する優先順位（Ｐｒｉ１）をｅＮＢ２００−１に通知する。ここで、第５実施形態と同様の付加情報（リソースブロック情報など）を優先順位（Ｐｒｉ１）と共にｅＮＢ２００−１に通知してもよい。
【０４５６】
ステップＳ１４０４において、ｅＮＢ２００−１は、ＵＥ１００−１から通知されたＣＱＩ０及び優先順位（Ｐｒｉｏｒｉｔｙ  ４、及びＰｒｉｏｒｉｔｙ  ６）と、ｅＮＢ２００−２から通知された優先順位（Ｐｒｉ１）と、から求められるＣＱＩをＵＥ１００−１のスケジューリングに使用する。具体的には、ｅＮＢ２００−１は、Ｐｒｉｏｒｉｔｙ  ６）と、ｅＮＢ２００−２から通知された優先順位（Ｐｒｉ１）をＵＥ１００−１から通知された優先順位（Ｐｒｉｏｒｉｔｙ  ４、及びＰｒｉｏｒｉｔｙ  ６）と比較することで、優先順位（Ｐｒｉ１）に対応するＣＱＩを判定する。例えば、優先順位（Ｐｒｉ１）がＰｒｉｏｒｉｔｙ  ６以上である場合には、優先順位（Ｐｒｉ１）に対応するＣＱＩは、ＣＱＩ０よりも２段階低いＣＱＩであると判定できる。また、優先順位（Ｐｒｉ１）がＰｒｉｏｒｉｔｙ  ６未満であってＰｒｉｏｒｉｔｙ  ４以上である場合には、優先順位（Ｐｒｉ１）に対応するＣＱＩは、ＣＱＩ０よりも１段階低いＣＱＩであると判定できる。なお、スケジューリングの方法は第５実施形態のステップＳ１１０９と同様である。
【０４５７】
このように、ｅＮＢ２００−１は、ｅＮＢ２００−２が選択したＢＣ−ＰＭＩ／ＲＩ、すなわち、ｅＮＢ２００−２におけるプリコーダ行列／ランクの使用状況が反映されたＣＱＩをＵＥ１００−１のスケジューリングに使用できる。従って、実環境に見合ったＭＣＳが適用されるため、ターゲットエラー率での通信を実現できる。
【０４５８】
また、本実施形態では、上述した各実施形態に比べて、ＵＥ１００−１がフィードバックすべき情報量を削減できる。
【０４５９】
［第５実施形態乃至第８実施形態の変更例］
上述した第５実施形態乃至第８実施形態を個別に実施する場合に限らず、各実施形態を相互に組み合わせて実施可能である。
【０４６０】
上述した第５実施形態乃至第８実施形態では、ＣＢ−ＣｏＭＰにおいてＢＣ−ＰＭＩを使用する一例を説明したが、ＢＣ−ＰＭＩに代えてＷＣ（Ｗｏｒｓｔ  Ｃｏｍｐａｎｉｏｎ）−ＰＭＩを使用してもよい。ＷＣ−ＰＭＩは、ＵＥ１００−１に与える干渉の影響が大きいプリコーダ行列（ＵＥ１００−１にビームが向くプリコーダ行列）を示す情報である。ｅＮＢ２００−２は、ＵＥ１００−１からのＷＣ−ＰＭＩと一致しないＰＭＩを自セル内ＵＥ１００（例えばＵＥ１００−２）がフィードバックしている場合に、当該自セル内ＵＥ１００に対してＵＥ１００−１と同一の無線リソースを割り当てて、当該ＷＣ−ＰＭＩと一致しないＰＭＩを当該自セル内ＵＥ１００への下りリンク・マルチアンテナ伝送に適用する。
【０４６１】
［その他の実施形態］
上述した第１実施形態乃至第８実施形態では、プリコーダ行列情報（ＰＭＩ／ＢＣ−ＰＭＩ）のフィードバックタイミングについて詳しく触れなかったが、周期的なフィードバック及び非周期的なフィードバックを併用してもよい。
【０４６２】
その他の実施形態に係る移動通信システムは、下りリンクの送信指向性を定めるプリコーダ行列を適用して下りリンク・マルチアンテナ伝送を行う。前記移動通信システムは、対象周波数帯についてのフィードバック情報としてプリコーダ行列情報をサービングセル（ｅＮＢ２００）にフィードバックするユーザ端末（ＵＥ１００）を有する。前記ユーザ端末は、周期的に第１のプリコーダ行列情報のフィードバックを行いながら、非周期的に第２のプリコーダ行列情報のフィードバックも行う。
【０４６３】
前記第１のプリコーダ行列情報は、前記サービングセルとの通信において前記ユーザ端末にとって好ましいプリコーダ行列を示す（すなわち、通常のＰＭＩ）。前記第２のプリコーダ行列情報は、前記ユーザ端末に対して他セルが与える干渉の観点から前記ユーザ端末にとって好ましいプリコーダ行列（すなわち、ＢＣ−ＰＭＩ）、又は前記干渉の観点から前記ユーザ端末にとって好ましくないプリコーダ行列（すなわち、ＷＣ−ＰＭＩ）を示す。前記ユーザ端末は、非周期的に前記第２のプリコーダ行列情報を複数フィードバックする。例えば、ＵＥ１００は、周期的にＰＭＩ（第１のプリコーダ行列情報）をフィードバックしながら、非周期的にＢＣ−ＰＭＩ（第２のプリコーダ行列情報）又はＷＣ−ＰＭＩ（第２のプリコーダ行列情報）を複数フィードバックする。複数のＢＣ−ＰＭＩ（又はＷＣ−ＰＭＩ）のそれぞれには、ＲＩが対応付けられていてもよい。
【０４６４】
或いは、前記第１のプリコーダ行列情報は、前記サービングセルとの通信においてユーザ端末にとって好ましいプリコーダ行列を示すプリコーダ行列情報（すなわち、通常のＰＭＩ）を含む。さらに、前記第１のプリコーダ行列情報は、前記ユーザ端末に対して他セルが与える干渉の観点から前記ユーザ端末にとって最も好ましいプリコーダ行列（１ｓｔ  ＢＣ−ＰＭＩ）、又は前記干渉の観点から前記ユーザ端末にとって最も好ましくないプリコーダ行列（１ｓｔ  ＷＣ−ＰＭＩ）を示すプリコーダ行列情報を含む。前記第２のプリコーダ行列情報は、前記干渉の観点から前記ユーザ端末にとって２番目以降に好ましいプリコーダ行列（２ｎｄ以降のＢＣ−ＰＭＩ）、又は前記干渉の観点から前記ユーザ端末にとって２番目以降に好ましくないプリコーダ行列（２ｎｄ以降のＷＣ−ＰＭＩ）を示すプリコーダ行列情報を含む。前記ユーザ端末は、非周期的に前記第２のプリコーダ行列情報を複数フィードバックする。例えば、ＵＥ１００は、周期的にＰＭＩ（第１のプリコーダ行列情報）と、１ｓｔ  ＢＣ−ＰＭＩ（第１のプリコーダ行列情報）又は１ｓｔ  ＷＣ−ＰＭＩ（第１のプリコーダ行列情報）と、をフィードバックしながら、非周期的に２ｎｄ以降のＢＣ−ＰＭＩ（第２のプリコーダ行列情報）又は２ｎｄ以降のＷＣ−ＰＭＩ（第２のプリコーダ行列情報）を複数フィードバックする。複数のＢＣ−ＰＭＩのそれぞれには、ＲＩが対応付けられていてもよい。
【０４６５】
上述した第１実施形態乃至第８実施形態では、ＢＣ−ＰＭＩ（又はＷＣ−ＰＭＩ）の評価値として、当該ＢＣ−ＰＭＩ（又はＷＣ−ＰＭＩ）を適用した場合に想定される干渉レベル（干渉電力）に基づいて、フィードバックするＢＣ−ＰＭＩ（又はＷＣ−ＰＭＩ）を決定していた。しかしながら、干渉レベルだけでなく、ＵＥ１００における受信ウェイトも考慮してＢＣ−ＰＭＩ（又はＷＣ−ＰＭＩ）を決定してもよい。例えば、受信ウェイト適用後の干渉レベルに基づいてＢＣ−ＰＭＩ（又はＷＣ−ＰＭＩ）を決定してもよい。
【０４６６】
［相互参照］
米国仮出願第６１／７１５５８８号（２０１２年１０月１８日出願）、米国仮出願第６１／７１５６３２号（２０１２年１０月１８日出願）、米国仮出願第６１／７１５６５１号（２０１２年１０月１８日出願）、米国仮出願第６１／７２３０６９号（２０１２年１１月６日出願）の全内容が、参照により、本願明細書に組み込まれている。
【産業上の利用可能性】
【０４６７】
本発明は、移動通信などの無線通信分野において有用である。
【図１】
2014061534.tif 000015
【図２】
2014061534.tif 000016
【図３】
2014061534.tif 000017
【図４】
2014061534.tif 000018
【図５】
2014061534.tif 000019
【図６】
2014061534.tif 000020
【図７】
2014061534.tif 000021
【図８】
2014061534.tif 000022
【図９】
2014061534.tif 000023
【図１０】
2014061534.tif 000024
【図１１】
2014061534.tif 000025
【図１２】
2014061534.tif 000026
【図１３】
2014061534.tif 000027
【図１４】
2014061534.tif 000028
【図１５】
2014061534.tif 000029
【図１６】
2014061534.tif 000030
【図１７】
2014061534.tif 000031
【図１８】
2014061534.tif 000032
【図１９】
2014061534.tif 000033
【図２０】
2014061534.tif 000034
【図２１】
2014061534.tif 000035
【図２２】
2014061534.tif 000036
【図２３】
2014061534.tif 000037
【図２４】
2014061534.tif 000038
【図２５】
2014061534.tif 000039
【図２６】
2014061534.tif 000040
【図２７】
2014061534.tif 000041
【図２８】
2014061534.tif 000042
【図２９】
2014061534.tif 000043
【図３０】
2014061534.tif 000044
【図３１】
2014061534.tif 000045
【図３２】
2014061534.tif 000046
【図３３】
2014061534.tif 000047
【図３４】
2014061534.tif 000048
【図３５】
2014061534.tif 000049
【図３６】
2014061534.tif 000050
【図３７】
2014061534.tif 000051
【図３８】
2014061534.tif 000052
【図３９】
2014061534.tif 000053
【図４０】
2014061534.tif 000054
【図４１】
2014061534.tif 000055
【図４２】
2014061534.tif 000056
【図４３】
2014061534.tif 000057
【図４４】
2014061534.tif 000058
【図４５】
2014061534.tif 000059
【図４６】
2014061534.tif 000060
【図４７】
2014061534.tif 000061
【図４８】
2014061534.tif 000062
【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
下りリンクの送信指向性を定めるプリコーダ行列と下りリンクの信号系列数を定めるランクとを適用して下りリンク・マルチアンテナ伝送を行う移動通信システムであって、
対象周波数帯についてのフィードバック情報を基地局にフィードバックするユーザ端末を有し、
前記フィードバック情報は、前記ユーザ端末と同一の無線リソースを割り当てる他のユーザ端末を特定するために用いられるものであって、前記ユーザ端末に対して干渉の影響が少ない前記プリコーダ行列を示すプリコーダ行列情報と前記ランクを示すランク情報との組み合わせを複数含み、
前記複数の組合せに含まれる複数のランク情報は、それぞれ異なる前記ランクを示すことを特徴とする移動通信システム。
【請求項２】
前記プリコーダ行列情報は、前記ユーザ端末にとって好ましいプリコーダ行列を示し、
前記基地局は、前記フィードバック情報に含まれる前記複数の組み合わせの何れかと一致する他のフィードバック情報をフィードバックする他のユーザ端末に対して、前記ユーザ端末と同一の無線リソースを割り当てて、前記一致する他のフィードバック情報に従って前記他のユーザ端末への送信を行い、
前記他のフィードバック情報は、前記他のユーザ端末に対してビームが向くプリコーダ行列と前記ランクを示すランク情報との組み合わせを含むことを特徴とする請求項１に記載の移動通信システム。
【請求項３】
前記基地局は、前記ユーザ端末のサービングセルに隣接するセルを構成していることを特徴とする請求項１に記載の移動通信システム。
【請求項４】
前記基地局は、前記ユーザ端末のサービングセルを構成していることを特徴とする請求項１に記載の移動通信システム。
【請求項５】
前記ユーザ端末は、予め規定された複数のランク情報のそれぞれについて、予め規定された複数のプリコーダ行列情報のそれぞれの評価値を計算し、
前記ユーザ端末は、前記評価値に基づいて前記複数の組み合わせを前記フィードバック情報に含めることを特徴とする請求項１に記載の移動通信システム。
【請求項６】
前記ユーザ端末は、前記複数のランク情報のそれぞれについて、前記評価値に応じて所定数のプリコーダ行列情報を選択し、
前記ユーザ端末は、前記複数のランク情報のそれぞれと前記選択した所定数のプリコーダ行列情報との組み合わせを前記フィードバック情報に含めることを特徴とする請求項５に記載の移動通信システム。
【請求項７】
前記ユーザ端末は、前記複数のランク情報のそれぞれについて、前記評価値と閾値との比較結果に応じてプリコーダ行列情報を選択し、
前記ユーザ端末は、前記複数のランク情報のそれぞれと前記選択したプリコーダ行列情報との組み合わせを前記フィードバック情報に含めることを特徴とする請求項５に記載の移動通信システム。
【請求項８】
前記ユーザ端末は、前記複数のランク情報のそれぞれについて、前記評価値の最高値又は最低値との差分が閾値よりも小さいプリコーダ行列情報を選択し、
前記ユーザ端末は、前記ランク情報のそれぞれと前記選択したプリコーダ行列情報との組み合わせを前記フィードバック情報に含めることを特徴とする請求項５に記載の移動通信システム。
【請求項９】
前記ユーザ端末は、前記評価値と閾値との比較結果に応じてプリコーダ行列情報と、該プリコーダ行列情報に対応するランク情報と、の組み合わせを選択し、
前記ユーザ端末は、前記選択した組み合わせを前記フィードバック情報に含めることを特徴とする請求項５に記載の移動通信システム。
【請求項１０】
前記ユーザ端末は、前記複数の組み合わせのそれぞれに、前記評価値に応じて定められる優先順位を示す優先順位情報を付加し、
前記ユーザ端末は、前記優先順位情報が付加された前記複数の組み合わせを前記フィードバック情報に含めることを特徴とする請求項５に記載の移動通信システム。
【請求項１１】
前記プリコーダ行列情報の評価値は、該プリコーダ行列情報に対応するプリコーダ行列が適用された場合に推奨される変調・符号化方式を示すチャネル品質情報であり、
前記ユーザ端末は、前記評価値と、フィードバックするチャネル品質情報との比較結果に応じたプリコーダ行列情報と、該プリコーダ行列情報に対応するランク情報と、の組み合わせを選択し、
前記ユーザ端末は、前記選択した組み合わせを前記フィードバック情報に含めることを特徴とする請求項５に記載の移動通信システム。
【請求項１２】
前記ユーザ端末は、さらに、非選択のプリコーダ行列情報をヌル値に設定して前記フィードバック情報に含めることを特徴とする請求項７に記載の移動通信システム。
【請求項１３】
前記ユーザ端末は、前記評価値に応じて所定数の前記組み合わせを選択し、
前記ユーザ端末は、前記選択した組み合わせを前記フィードバック情報に含めることを特徴とする請求項５に記載の移動通信システム。
【請求項１４】
前記ユーザ端末は、前記選択した組み合わせのうち、前記評価値と閾値との比較結果に応じてプリコーダ行列情報をヌル値に設定して前記フィードバック情報に含めることを特徴とする請求項１３に記載の移動通信システム。
【請求項１５】
前記ユーザ端末は、１つのランク情報について全てのプリコーダ行列情報を選択した場合に、前記全てのプリコーダ行列情報を前記フィードバック情報に含めることに代えて、前記全てのプリコーダ行列情報を示すインデックスを前記フィードバック情報に含めることを特徴とする請求項１に記載の移動通信システム。
【請求項１６】
前記ユーザ端末は、前記基地局に接続するユーザ端末の数が所定数以上である場合に、前記プリコーダ行列情報と前記ランク情報との組み合わせを前記フィードバック情報に複数含めることに代えて、前記組み合わせを前記フィードバック情報に１つのみ含めることを特徴とする請求項１に記載の移動通信システム。
【請求項１７】
下りリンクの送信指向性を定めるプリコーダ行列を適用して下りリンク・マルチアンテナ伝送を行う移動通信システムであって、
対象周波数帯についてのフィードバック情報として、自ユーザ端末と同一の無線リソースを割り当てる他のユーザ端末を特定するために用いられるものであって、自ユーザ端末に対して干渉の影響が少ないプリコーダ行列情報と前記ランクを示すランク情報との複数の組み合わせを基地局にフィードバックするユーザ端末を有し、
前記複数の組合せに含まれる複数のランク情報は、それぞれ異なる前記ランクを示し、
前記ユーザ端末は、前記フィードバック情報として全てのプリコーダ行列情報を選択した場合に、前記全てのプリコーダ行列情報を前記基地局にフィードバックすることに代えて、前記全てのプリコーダ行列情報を示すインデックスを前記基地局にフィードバックすることを特徴とする移動通信システム。
【請求項１８】
下りリンクの送信指向性を定めるプリコーダ行列を適用して下りリンク・マルチアンテナ伝送を行う移動通信システムであって、
対象周波数帯についてのフィードバック情報として、自ユーザ端末と同一の無線リソースを割り当てる他のユーザ端末を特定するために用いられるものであって、自ユーザ端末に対して干渉の影響が少ないプリコーダ行列情報と前記ランクを示すランク情報との複数の組み合わせを基地局にフィードバックするユーザ端末を有し、
前記複数の組合せに含まれる複数のランク情報は、それぞれ異なる前記ランクを示し、
前記基地局にフィードバックするプリコーダ行列情報の数は、前記基地局に接続するユーザ端末の数に応じて設定されることを特徴とする移動通信システム。
【請求項１９】
前記基地局に接続するユーザ端末の数が閾値以上である場合には、前記基地局に接続するユーザ端末の数が前記閾値未満である場合に比べて、前記基地局にフィードバックするプリコーダ行列情報の数を減らすことを特徴とする請求項１８に記載の移動通信システム。
【請求項２０】
下りリンクの送信指向性を定めるプリコーダ行列を適用して下りリンク・マルチアンテナ伝送を行う移動通信システムであって、
対象周波数帯についてのフィードバック情報として自ユーザ端末と同一の無線リソースを割り当てる他のユーザ端末を特定するために用いられるものであって、自ユーザ端末に対して干渉の影響が少ないプリコーダ行列情報と前記ランクを示すランク情報との複数の組み合わせをサービングセルにフィードバックするユーザ端末を有し、
前記複数の組合せに含まれる複数のランク情報は、それぞれ異なる前記ランクを示し、
前記ユーザ端末は、周期的に第１のプリコーダ行列情報のフィードバックを行いながら、非周期的に第２のプリコーダ行列情報のフィードバックも行うことを特徴とする移動通信システム。
【請求項２１】
前記第１のプリコーダ行列情報は、前記サービングセルとの通信において前記ユーザ端末にとって好ましいプリコーダ行列を示し、
前記第２のプリコーダ行列情報は、前記ユーザ端末に対して他セルが与える干渉の観点から前記ユーザ端末にとって好ましいプリコーダ行列、又は前記干渉の観点から前記ユーザ端末にとって好ましくないプリコーダ行列を示し、
前記ユーザ端末は、非周期的に前記第２のプリコーダ行列情報を複数フィードバックすることを特徴とする請求項２０に記載の移動通信システム。
【請求項２２】
前記第１のプリコーダ行列情報は、前記サービングセルとの通信において前記ユーザ端末にとって好ましいプリコーダ行列を示すプリコーダ行列情報を含み、
前記第１のプリコーダ行列情報は、前記ユーザ端末に対して他セルが与える干渉の観点から前記ユーザ端末にとって最も好ましいプリコーダ行列、又は前記干渉の観点から前記ユーザ端末にとって最も好ましくないプリコーダ行列を示すプリコーダ行列情報をさらに含み、
前記第２のプリコーダ行列情報は、前記干渉の観点から前記ユーザ端末にとって２番目以降に好ましいプリコーダ行列、又は前記干渉の観点から前記ユーザ端末にとって２番目以降に好ましくないプリコーダ行列を示すプリコーダ行列情報を含み、
前記ユーザ端末は、非周期的に前記第２のプリコーダ行列情報を複数フィードバックすることを特徴とする請求項２０に記載の移動通信システム。
【請求項２３】
下りリンクの送信指向性を定めるプリコーダ行列と下りリンクの信号系列数を定めるランクとを使用して下りリンク・マルチアンテナ伝送を行う基地局と、
対象周波数帯についてのフィードバック情報を前記基地局にフィードバックするユーザ端末と、を有する移動通信システムであって、
前記基地局は、該基地局における前記ランク及び／又は前記プリコーダ行列の使用状態を示す使用状態情報を、前記ユーザ端末に通知し、
前記ユーザ端末と同一の無線リソースを割り当てる他のユーザ端末を特定するために用いられるものであって、前記ユーザ端末に対して干渉の影響が少ない前記プリコーダ行列を示すプリコーダ行列情報と前記ランクを示すランク情報との組み合わせを複数含み、
前記複数の組合せに含まれる複数のランク情報は、それぞれ異なる前記ランクを示すことを特徴とする移動通信システム。
【請求項２４】
前記フィードバック情報は、前記プリコーダ行列を示すプリコーダ行列情報と前記ランクを示すランク情報との組み合わせを含み、
前記ユーザ端末は、前記使用状態情報に基づいて、前記基地局が使用中の前記ランク及び／又は前記プリコーダ行列に対応する前記組み合わせのみを、前記基地局へのフィードバックの対象とすることを特徴とする請求項２３に記載の移動通信システム。
【請求項２５】
前記プリコーダ行列情報は、前記ユーザ端末にとって好ましいプリコーダ行列を示し、
前記基地局は、前記フィードバック情報に含まれる前記組み合わせと一致するフィードバック情報を通知する他のユーザ端末に対して、前記ユーザ端末と同一の無線リソースを割り当てて、前記一致するフィードバック情報に従って前記他のユーザ端末への送信を行うことを特徴とする請求項２４に記載の移動通信システム。
【請求項２６】
前記プリコーダ行列情報は、前記ユーザ端末にとって好ましくないプリコーダ行列を示し、
前記基地局は、前記フィードバック情報に含まれる前記組み合わせと一致しないフィードバック情報を通知する他のユーザ端末に対して、前記ユーザ端末と同一の無線リソースを割り当てて、前記一致しないフィードバック情報に従って前記他のユーザ端末への送信を行うことを特徴とする請求項２４に記載の移動通信システム。
【請求項２７】
前記基地局は、前記ユーザ端末のサービングセルに隣接するセルを構成していることを特徴とする請求項２３に記載の移動通信システム。
【請求項２８】
前記基地局は、前記ユーザ端末のサービングセルを構成していることを特徴とする請求項２３に記載の移動通信システム。
【請求項２９】
前記基地局は、予め規定された全てのランク及び／又は全てのプリコーダ行列を使用中である場合に、前記使用状態情報の通知を停止することを特徴とする請求項２３に記載の移動通信システム。
【請求項３０】
前記使用状態情報は、前記ユーザ端末の割当無線リソースに対応する無線リソースにおける前記ランク及び／又は前記プリコーダ行列の使用状態を示すことを特徴とする請求項２３に記載の移動通信システム。
【請求項３１】
前記基地局は、ＣｏＭＰ通信を開始する際、前記ユーザ端末から前記フィードバック情報がフィードバックされた際、又は前記ユーザ端末の割当無線リソースを他の基地局から通知された際、の何れかのタイミングで、前記使用状態情報の通知を開始することを特徴とする請求項２３に記載の移動通信システム。
【請求項３２】
前記基地局は、ＣｏＭＰ通信を終了する際、又は前記ユーザ端末から前記フィードバック情報がフィードバックされなくなってから所定時間が経過した際、の何れかのタイミングで、前記使用状態情報の通知を終了することを特徴とする請求項２３に記載の移動通信システム。
【請求項３３】
第１の基地局と、前記第１の基地局との接続を確立するユーザ端末と、前記第１の基地局と協調する第２の基地局と、を有し、下りリンク・マルチアンテナ伝送をサポートする移動通信システムにおける通信制御方法であって、
前記ユーザ端末が、前記下りリンク・マルチアンテナ伝送のための、前記ユーザ端末と同一の無線リソースを割り当てる他のユーザ端末を特定するために用いられるものであって、前記ユーザ端末に対して干渉の影響が少ないプリコーダ行列及びランクを示す伝送制御情報と、該伝送制御情報が適用された場合に推奨される変調・符号化方式を示すチャネル品質情報と、の組み合わせを複数決定した後、該決定した複数の組み合わせに含まれる複数の伝送制御情報を前記第２の基地局に通知するステップＡと、
前記第２の基地局が、前記複数の伝送制御情報の中から何れかの伝送制御情報を選択した後、該選択した伝送制御情報に関連する所定情報を前記第１の基地局に通知するステップＢと、
前記第１の基地局が、前記所定情報に基づいて、前記第２の基地局が選択した伝送制御情報に対応するチャネル品質情報を特定した後、該特定したチャネル品質情報を前記ユーザ端末のスケジューリングに使用するステップＣと、を含み
前記複数の伝送制御情報に含まれる複数のランク情報は、それぞれ異なる前記ランクを示すことを特徴とする通信制御方法。
【請求項３４】
前記ステップＣは、前記特定したチャネル品質情報に加えて、又は前記特定したチャネル品質情報に代えて、前記第２の基地局が選択した前記伝送制御情報を前記ユーザ端末のスケジューリングに使用するステップを含むことを特徴とする請求項３３に記載の通信制御方法。
【請求項３５】
前記ステップＡは、前記ユーザ端末が、前記複数の組み合わせを前記第１の基地局に送信するステップを含み、
前記ステップＢは、前記第２の基地局が、前記選択した伝送制御情報を前記所定情報として前記第１の基地局に通知するステップを含み、
前記ステップＣは、前記第１の基地局が、前記複数の組み合わせの中から、前記所定情報としての前記伝送制御情報に対応する前記チャネル品質情報を、前記ユーザ端末のスケジューリングに使用するステップを含むことを特徴とする請求項３３に記載の通信制御方法。
【請求項３６】
前記ステップＡは、前記ユーザ端末が、前記複数の組み合わせを前記第２の基地局に通知するステップを含み、
前記ステップＢは、前記第２の基地局が、前記複数の組み合わせの中から、前記選択した伝送制御情報に対応する前記チャネル品質情報を前記所定情報として前記第１の基地局に通知するステップを含み、
前記ステップＣは、前記第１の基地局が、前記所定情報としての前記チャネル品質情報を前記ユーザ端末のスケジューリングに使用するステップを含むことを特徴とする請求項３３に記載の通信制御方法。
【請求項３７】
前記ステップＡは、前記ユーザ端末が、受信信号の状態に基づき推奨される変調・符号化方式を示す通常のチャネル品質情報を前記第１の基地局に送信するステップをさらに含み、
前記ステップＣは、前記第２の基地局からの前記所定情報の通知が無い場合に、前記第１の基地局が、前記通常のチャネル品質情報を前記ユーザ端末のスケジューリングに使用するステップをさらに含むことを特徴とする請求項３５に記載の通信制御方法。
【請求項３８】
前記ステップＡは、
前記ユーザ端末が、受信信号の状態に基づき推奨される変調・符号化方式を示す通常のチャネル品質情報を前記第１の基地局に送信するステップと、
前記ユーザ端末が、前記複数の組み合わせに含まれる複数のチャネル品質情報毎に前記通常のチャネル品質情報との差分を示す差分情報を前記第２の基地局に通知するステップと、を含み、
前記ステップＢは、前記第２の基地局が、前記複数の組み合わせの中から、前記選択した伝送制御情報に対応する前記差分情報を前記所定情報として前記第１の基地局に通知するステップを含み、
前記ステップＣは、前記第１の基地局が、前記通常のチャネル品質情報と、前記所定情報としての前記差分情報と、から求められるチャネル品質情報を、前記ユーザ端末のスケジューリングに使用するステップを含むことを特徴とする請求項３３に記載の通信制御方法。
【請求項３９】
前記ステップＡは、
前記ユーザ端末が、前記複数の組み合わせのそれぞれに優先順位を設定した後、特定の優先順位に対応する特定のチャネル品質情報と、該特定のチャネル品質情報に対してチャネル品質情報が変化する前記組み合わせに設定された第１の優先順位と、を前記第１の基地局に送信するステップと、
前記ユーザ端末が、前記複数の伝送制御情報のそれぞれを前記優先順位と対応付けて前記第２の基地局に通知するステップと、を含み、
前記ステップＢは、前記第２の基地局が、前記選択した伝送制御情報に対応する第２の優先順位を前記所定情報として前記第１の基地局に通知するステップを含み、
前記ステップＣは、前記第１の基地局が、前記特定のチャネル品質情報と、前記第１の優先順位と前記第２の優先順位との相対関係と、から求められるチャネル品質情報を、前記ユーザ端末のスケジューリングに使用するステップを含むことを特徴とする請求項３３に記載の通信制御方法。
【請求項４０】
下りリンクの送信指向性を定めるプリコーダ行列と下りリンクの信号系列数を定めるランクとを適用した下りリンク・マルチアンテナ伝送を受信するユーザ端末であって、
対象周波数帯についてのフィードバック情報を基地局にフィードバックする処理を実行する制御部を備え、
前記フィードバック情報は、前記ユーザ端末と同一の無線リソースを割り当てる他のユーザ端末を特定するために用いられるものであって、前記ユーザ端末に対して干渉の影響が少ない前記プリコーダ行列を示すプリコーダ行列情報と前記ランクを示すランク情報との組み合わせを複数含み、
前記複数の組合せに含まれる複数のランク情報は、それぞれ異なる前記ランクを示すことを特徴とするユーザ端末。
【手続補正２】
【補正対象書類名】明細書
【補正対象項目名】０００８
【補正方法】変更
【補正の内容】
【０００８】
一実施形態によれば、下りリンクの送信指向性を定めるプリコーダ行列と下りリンクの信号系列数（信号レイヤ数）を定めるランクとを適用して下りリンク・マルチアンテナ伝送を行う移動通信システムは、対象周波数帯についてのフィードバック情報を基地局にフィードバックするユーザ端末を有する。前記フィードバック情報は、前記ユーザ端末と同一の無線リソースを割り当てる他のユーザ端末を特定するために用いられるものであって、前記ユーザ端末に対して干渉の影響が少ない前記プリコーダ行列を示すプリコーダ行列情報と前記ランクを示すランク情報との組み合わせを複数含む。前記複数の組合せに含まれる複数のランク情報は、それぞれ異なる前記ランクを示す。
【手続補正３】
【補正対象書類名】明細書
【補正対象項目名】０００９
【補正方法】変更
【補正の内容】
【０００９】
一実施形態によれば、下りリンクの送信指向性を定めるプリコーダ行列を適用して下りリンク・マルチアンテナ伝送を行う移動通信システムは、対象周波数帯についてのフィードバック情報として、自ユーザ端末と同一の無線リソースを割り当てる他のユーザ端末を特定するために用いられるものであって、自ユーザ端末に対して干渉の影響が少ないプリコーダ行列情報と前記ランクを示すランク情報との複数の組み合わせを基地局にフィードバックするユーザ端末を有する。前記複数の組合せに含まれる複数のランク情報は、それぞれ異なる前記ランクを示す。前記ユーザ端末は、前記フィードバック情報として全てのプリコーダ行列情報を選択した場合に、前記全てのプリコーダ行列情報を前記基地局にフィードバックすることに代えて、前記全てのプリコーダ行列情報を示すインデックスを前記基地局にフィードバックする。
【手続補正４】
【補正対象書類名】明細書
【補正対象項目名】００１０
【補正方法】変更
【補正の内容】
【００１０】
一実施形態によれば、下りリンクの送信指向性を定めるプリコーダ行列を適用して下りリンク・マルチアンテナ伝送を行う移動通信システムは、対象周波数帯についてのフィードバック情報として、自ユーザ端末と同一の無線リソースを割り当てる他のユーザ端末を特定するために用いられるものであって、自ユーザ端末に対して干渉の影響が少ないプリコーダ行列情報と前記ランクを示すランク情報との複数の組み合わせを基地局にフィードバックするユーザ端末を有する。前記複数の組合せに含まれる複数のランク情報は、それぞれ異なる前記ランクを示す。前記基地局にフィードバックするプリコーダ行列情報の数は、前記基地局に接続するユーザ端末の数に応じて設定される。
【手続補正５】
【補正対象書類名】明細書
【補正対象項目名】００１１
【補正方法】変更
【補正の内容】
【００１１】
一実施形態によれば、下りリンクの送信指向性を定めるプリコーダ行列を適用して下りリンク・マルチアンテナ伝送を行う移動通信システムは、対象周波数帯についてのフィードバック情報として、自ユーザ端末と同一の無線リソースを割り当てる他のユーザ端末を特定するために用いられるものであって、自ユーザ端末に対して干渉の影響が少ないプリコーダ行列情報と前記ランクを示すランク情報との複数の組み合わせをサービングセルにフィードバックするユーザ端末を有する。前記複数の組合せに含まれる複数のランク情報は、それぞれ異なる前記ランクを示す。前記ユーザ端末は、周期的に第１のプリコーダ行列情報のフィードバックを行いながら、非周期的に第２のプリコーダ行列情報のフィードバックも行う。
【手続補正６】
【補正対象書類名】明細書
【補正対象項目名】００１２
【補正方法】変更
【補正の内容】
【００１２】
一実施形態によれば、移動通信システムは、下りリンクの送信指向性を定めるプリコーダ行列と下りリンクの信号系列数（信号レイヤ数）を定めるランクとを使用して下りリンク・マルチアンテナ伝送を行う基地局と、対象周波数帯についてのフィードバック情報を前記基地局にフィードバックするユーザ端末と、を有する。前記基地局は、該基地局における前記ランク及び／又は前記プリコーダ行列の使用状態を示す使用状態情報を、前記ユーザ端末に通知する。前記フィードバック情報は、前記ユーザ端末と同一の無線リソースを割り当てる他のユーザ端末を特定するために用いられるものであって、前記ユーザ端末に対して干渉の影響が少ない前記プリコーダ行列を示すプリコーダ行列情報と前記ランクを示すランク情報との組み合わせを複数含む。前記複数の組合せに含まれる複数のランク情報は、それぞれ異なる前記ランクを示す。
【手続補正７】
【補正対象書類名】明細書
【補正対象項目名】００１３
【補正方法】変更
【補正の内容】
【００１３】
一実施形態によれば、通信制御方法は、第１の基地局と、前記第１の基地局との接続を確立するユーザ端末と、前記第１の基地局と協調する第２の基地局と、を有し、下りリンク・マルチアンテナ伝送をサポートする移動通信システムにおいて用いられる。通信制御方法は、前記ユーザ端末が、前記下りリンク・マルチアンテナ伝送のための前記ユーザ端末と同一の無線リソースを割り当てる他のユーザ端末を特定するために用いられるものであって、前記ユーザ端末に対して干渉の影響が少ないプリコーダ行列及びランクを示す伝送制御情報と、該伝送制御情報が適用された場合に推奨される変調・符号化方式を示すチャネル品質情報と、の組み合わせを複数決定した後、該決定した複数の組み合わせに含まれる複数の伝送制御情報を前記第２の基地局に通知するステップＡと、前記第２の基地局が、前記複数の伝送制御情報の中から何れかの伝送制御情報を選択した後、該選択した伝送制御情報に関連する所定情報を前記第１の基地局に通知するステップＢと、前記第１の基地局が、前記所定情報に基づいて、前記第２の基地局が選択した伝送制御情報に対応するチャネル品質情報を特定した後、該特定したチャネル品質情報を前記ユーザ端末のスケジューリングに使用するステップＣと、を含む。前記複数の伝送制御情報に含まれる複数のランク情報は、それぞれ異なる前記ランクを示す。
一実施形態によれば、ユーザ端末は、下りリンクの送信指向性を定めるプリコーダ行列と下りリンクの信号系列数を定めるランクとを適用した下りリンク・マルチアンテナ伝送を受信するユーザ端末である。前記ユーザ端末は対象周波数帯についてのフィードバック情報を基地局にフィードバックする処理を実行する制御部を備える。前記フィードバック情報は、前記ユーザ端末と同一の無線リソースを割り当てる他のユーザ端末を特定するために用いられるものであって、前記ユーザ端末に対して干渉の影響が少ない前記プリコーダ行列を示すプリコーダ行列情報と前記ランクを示すランク情報との組み合わせを複数含む。前記複数の組合せに含まれる複数のランク情報は、それぞれ異なる前記ランクを示す。
【国際調査報告】
2014061534.tif 000063
2014061534.tif 000064
2014061534.tif 000065
2014061534.tif 000066
2014061534.tif 000067
2014061534.tif 000068
2014061534.tif 000069
2014061534.tif 000070
2014061534.tif 000071
2014061534.tif 000072